(57)【要約】【課題】適正な通信モードを実現できる送電制御装置、送電装置、受電制御装置、受電装置、電子機器、及び無接点電力伝送方法等を提供すること。【解決手段】無接点電力伝送システムの送電装置に設けられる送電制御装置は、制御部を含み、制御部は認証処理部とコマンド処理部を有する。認証処理部は、送電装置から受電装置への通常送電を開始する前に、受電装置の認証処理を行い、コマンド処理部は、通常送電を開始した後に、送電装置と受電装置との間で通信を行う通信モードへの移行イベントが発生した場合に、認証処理のフェーズに移行することなく、コマンド分岐フェーズに移行し、コマンド処理部は、コマンド分岐フェーズにおいて、通信モードのコマンド処理を行う。【選択図】図４
2010045960.tif 000002
【特許請求の範囲】
【請求項１】
無接点電力伝送システムの送電装置に設けられる送電制御装置であって、
送電制御装置の制御を行う制御部を含み、
前記制御部は、
認証処理部と、
コマンド処理部と、
を有し、
前記認証処理部は、
前記送電装置から受電装置への通常送電を開始する前に、前記受電装置の認証処理を行い、
前記コマンド処理部は、
前記通常送電を開始した後に、前記送電装置と前記受電装置との間で通信を行う通信モードへの移行イベントが発生した場合に、前記認証処理のフェーズに移行することなく、コマンド分岐フェーズに移行し、
前記コマンド処理部は、
前記コマンド分岐フェーズにおいて、前記通信モードのコマンド処理を行うことを特徴とする送電制御装置。
【請求項２】
請求項１において、
前記制御部は、
受電側電子機器の取り去りが検出された場合、異物が検出された場合又は前記受電装置の負荷が有するバッテリの満充電が検出された場合に、前記通常送電を停止する送電制御部を含み、
前記認証処理部は、
前記通常送電の停止後の仮送電の期間において、前記認証処理を行い、
前記認証処理部は、
前記仮送電の期間の前記認証処理のフェーズの後に、前記コマンド分岐フェーズに移行することを特徴とする送電制御装置。
【請求項３】
請求項１又は２において、
送電側ホストと通信を行うためのホストインターフェースを含み、
前記コマンド処理部は、
前記送電側ホストにより前記ホストインターフェースを介して受電側ホストに対する通信要求コマンドが発行された場合に、前記コマンド分岐フェーズに移行して、前記通信モードのコマンド処理を行うことを特徴とする送電制御装置。
【請求項４】
請求項３において、
前記コマンド処理部は、
前記受電側ホストが発行した通信割り込みコマンドを受信した場合に、前記コマンド分岐フェーズに移行して、前記通信モードのコマンド処理を行うことを特徴とする送電制御装置。
【請求項５】
請求項３又は４において、
前記コマンド処理部は、
前記通信モードのコマンド処理の終了後に、前記コマンド分岐フェーズに戻ることを特徴とする送電制御装置。
【請求項６】
請求項１乃至５のいずれかにおいて、
前記コマンド処理部は、
前記通信モードに移行する場合に、無接点電力伝送の伝送条件及び通信条件の少なくとも一方を、前記通常送電用の条件とは異なる前記通信モード用の条件に設定することを特徴とする送電制御装置。
【請求項７】
請求項１乃至６のいずれかにおいて、
前記制御部は、
前記負荷が有するバッテリの満充電が検出されて前記通常送電が停止した場合に、満充電検出後の待機フェーズに移行し、
前記制御部は、
前記満充電検出後の待機フェーズにおいて、前記バッテリの再充電確認処理を定期的に行う再充電確認処理部を含むことを特徴とする送電制御装置。
【請求項８】
請求項７において、
前記認証処理部は、
前記満充電検出後の待機フェーズにおいて定期的に行われる再充電確認用の仮送電の期間において、前記認証処理を行い、
前記認証処理部は、
前記仮送電の期間の前記認証処理の後に、前記コマンド分岐フェーズに移行することを特徴とする送電制御装置。
【請求項９】
請求項８において、
前記再充電確認処理部は、
前記満充電検出後の待機フェーズから前記認証処理のフェーズに移行する際に、再充電確認フラグをセット状態にすることを特徴とする送電制御装置。
【請求項１０】
請求項９において、
前記再充電確認処理部は、
前記再充電確認処理において前記バッテリの再充電が必要であると判断され、前記通常送電を開始する場合には、前記再充電確認フラグをリセット状態にすることを特徴とする送電制御装置。
【請求項１１】
請求項７乃至１０のいずれかにおいて、
前記再充電確認処理部は、
前記再充電確認処理において、前記受電装置に対して再充電確認コマンドを送信し、
前記再充電確認処理部は、
前記バッテリの充電状態を知らせる応答コマンドを前記受電装置から受信した場合に、前記応答コマンドに基づいて、前記バッテリの再充電が必要か否かを判断することを特徴とする送電制御装置。
【請求項１２】
請求項１乃至１１のいずれかに記載の送電制御装置と、
交流電圧を生成して１次コイルに供給する送電部と、
を含むことを特徴とする送電装置。
【請求項１３】
請求項１２に記載の送電装置を含むことを特徴とする電子機器。
【請求項１４】
無接点電力伝送システムの受電装置に設けられる受電制御装置であって、
受電制御装置の制御を行う制御部を含み、
前記制御部は、
認証処理部と、
コマンド処理部と、
を有し、
前記認証処理部は、
送電装置から前記受電装置への通常送電を開始する前に、前記送電装置の認証処理を行い、
前記コマンド処理部は、
前記通常送電を開始した後に、前記送電装置と前記受電装置との間で通信を行う通信モードへの移行イベントが発生した場合に、前記認証処理のフェーズに移行することなく、コマンド分岐フェーズに移行し、
前記コマンド処理部は、
前記コマンド分岐フェーズにおいて、前記通信モードのコマンド処理を行うことを特徴とする受電制御装置。
【請求項１５】
請求項１４において、
受電側ホストと通信を行うためのホストインターフェースを含み、
前記コマンド処理部は、
前記受電側ホストにより前記ホストインターフェースを介して送電側ホストに対する通信要求コマンドが発行された場合に、前記コマンド分岐フェーズに移行して、前記通信モードのコマンド処理を行うことを特徴とする受電制御装置。
【請求項１６】
請求項１５において、
前記コマンド処理部は、
前記送電側ホストが発行した通信要求のための割り込みコマンドを受信した場合に、前記コマンド分岐フェーズに移行して、前記通信モードのコマンド処理を行うことを特徴とする受電制御装置。
【請求項１７】
請求項１４乃至１６のいずれかにおいて、
前記制御部は、再充電確認処理部を含み、
前記送電装置は、
前記受電装置の負荷が有するバッテリの満充電検出により前記通常送電を停止した場合に、前記満充電検出後の待機フェーズに移行し、
前記再充電確認処理部は、
前記満充電検出後の待機フェーズにおいて、前記送電装置から再充電確認コマンドを受信した場合に、前記バッテリの充電状態を知らせる応答コマンドを前記送電装置に送信することを特徴とする受電制御装置。
【請求項１８】
請求項１７において、
前記再充電確認処理部は、
前記満充電検出後の待機フェーズにおいて前記送電装置が定期的に再充電確認用の仮送電を行った場合に、前記再充電確認用の仮送電の期間において、前記再充電確認コマンドの受信と前記応答コマンドの送信を行うことを特徴とする受電制御装置。
【請求項１９】
請求項１４乃至１８のいずれかに記載の受電制御装置と、
２次コイルの誘起電圧を直流電圧に変換する受電部と、
を含むことを特徴とする受電装置。
【請求項２０】
請求項１９に記載の受電装置と、
前記受電装置により電力が供給される負荷と、
を含むことを特徴とする電子機器。
【請求項２１】
１次コイルと２次コイルを電磁的に結合させて送電装置から受電装置に対して電力を伝送し、前記受電装置の負荷に対して電力を供給する無接点電力伝送方法であって、
前記送電装置から前記受電装置への通常送電を開始する前に、前記受電装置の認証処理を行い、
前記通常送電を開始した後に、前記送電装置と前記受電装置との間で通信を行う通信モードへの移行イベントが発生した場合に、前記認証処理のフェーズに移行することなく、コマンド分岐フェーズに移行し、
前記コマンド分岐フェーズにおいて、前記通信モードのコマンド処理を行うことを特徴とする無接点電力伝送方法。
【請求項２２】
請求項２１において、
受電側電子機器の取り去りが検出された場合、異物が検出された場合又は前記負荷が有するバッテリの満充電が検出された場合に、前記通常送電を停止し、
前記通常送電の停止後に仮送電を行い、
前記仮送電の期間において、前記認証処理を行い、
前記仮送電の期間の前記認証処理のフェーズの後に、前記コマンド分岐フェーズに移行することを特徴とする無接点電力伝送方法。
【請求項２３】
請求項２１又は２２において、
前記通信モードに移行する場合に、無接点電力伝送の伝送条件及び通信条件の少なくとも一方を、前記通常送電用の条件とは異なる前記通信モード用の条件に設定することを特徴とする無接点電力伝送方法。
【請求項２４】
請求項２１乃至２３のいずれかにおいて、
前記負荷が有するバッテリの満充電が検出されて前記通常送電が停止した場合に、満充電検出後の待機フェーズに移行し、
前記満充電検出後の待機フェーズにおいて、前記バッテリの再充電確認処理を定期的に行うことを特徴とする無接点電力伝送方法。
【請求項２５】
請求項２１乃至２４のいずれかにおいて、
前記バッテリの再充電確認処理において、前記バッテリの充電状態を前記受電装置から受信した場合に、前記充電状態に基づいて前記バッテリの再充電が必要か否かを判断することを特徴とする無接点電力伝送方法。
【発明の詳細な説明】
【技術分野】
【０００１】
本発明は、送電制御装置、送電装置、受電制御装置、受電装置、電子機器、及び無接点電力伝送方法等に関する。
【背景技術】
【０００２】
近年、電磁誘導を利用し、金属部分の接点がなくても電力伝送を可能にする無接点電力伝送（非接触電力伝送）が脚光を浴びている、この無接点電力伝送の適用例として、携帯電話機や家庭用機器（例えば電話機の子機）の充電などが提案されている。
【０００３】
このような無接点電力伝送の従来技術として特許文献１がある。この特許文献１では、送電側（１次側）と受電側（２次側）との間で認証コードを送受信することでＩＤ認証を実現し、異物等の挿入を検出している。
【０００４】
しかしながら、特許文献１の従来技術では、送電側と受電側との間での適正な無接点電力伝送の実現のために、認証コードの通信は行われているが、送電側と受電側との間の通信モードや、充電開始の前にその都度行った方がよい、満充電検出後の受電側のすり替え対策と送電側と受電側の位置関係に依存する２次側受電電力レベル確認については想定されていなかった。
【先行技術文献】
【特許文献】
【０００５】
【特許文献１】特開２００６−６０９０９号公報
【発明の概要】
【発明が解決しようとする課題】
【０００６】
本発明の幾つかの態様によれば、適正な通信モードを実現できる送電制御装置、送電装置、受電制御装置、受電装置、電子機器、及び無接点電力伝送方法等を提供できる。
【課題を解決するための手段】
【０００７】
本発明の一態様は、無接点電力伝送システムの送電装置に設けられる送電制御装置であって、送電制御装置の制御を行う制御部を含み、前記制御部は、認証処理部と、コマンド処理部とを有し、前記認証処理部は、前記送電装置から受電装置への通常送電を開始する前に、前記受電装置の認証処理を行い、前記コマンド処理部は、前記通常送電を開始した後に、前記送電装置と前記受電装置との間で通信を行う通信モードへの移行イベントが発生した場合に、前記認証処理のフェーズに移行することなく、コマンド分岐フェーズに移行し、前記コマンド処理部は、前記コマンド分岐フェーズにおいて、前記通信モードのコマンド処理を行う送電制御装置に関係する。
【０００８】
本発明の一態様によれば、受電装置への通常送電開始前に認証処理が行われる。そして通常送電開始後に、通信モードへの移行イベントが発生した場合には、この認証処理のフェーズに移行することなく、コマンドフェーズに移行して、通信モードのコマンド処理が実行される。従って、適正な通信モードの実現が可能になる。
【０００９】
また本発明の一態様では、前記制御部は、受電側電子機器の取り去りが検出された場合、異物が検出された場合又は前記受電装置の負荷が有するバッテリの満充電が検出された場合に、前記通常送電を停止する送電制御部を含み、前記認証処理部は、前記通常送電の停止後の仮送電の期間において、前記認証処理を行い、前記認証処理部は、前記仮送電の期間の前記認証処理のフェーズの後に、前記コマンド分岐フェーズに移行してもよい。
【００１０】
このようにすれば、取り去りや異物や満充電が検出されると、通常送電が停止し、通常送電停止後の仮送電期間において、認証処理が行われて、コマンド分岐フェーズに移行する。このようにすれば、認証処理により、受電側のすり替わり等を検出できるようになる。
【００１１】
また本発明の一態様では、送電側ホストと通信を行うためのホストインターフェースを含み、前記コマンド処理部は、前記送電側ホストにより前記ホストインターフェースを介して受電側ホストに対する通信要求コマンドが発行された場合に、前記コマンド分岐フェーズに移行して、前記通信モードのコマンド処理を行ってもよい。
【００１２】
このようにすれば、送電側ホストが発行した通信要求コマンドにより通信モードに移行して、通信モードのコマンド処理を実行できるようになる。
【００１３】
また本発明の一態様では、前記コマンド処理部は、前記受電側ホストが発行した通信割り込みコマンドを受信した場合に、前記コマンド分岐フェーズに移行して、前記通信モードのコマンド処理を行ってもよい。
【００１４】
このようにすれば、受電側ホストが発行した割り込みコマンドの受信により通信モードに移行して、通信モードのコマンド処理を実行できるようになる。
【００１５】
また本発明の一態様では、前記コマンド処理部は、前記通信モードのコマンド処理の終了後に、前記コマンド分岐フェーズに戻ってもよい。
【００１６】
このようにすれば、通信モードのコマンド処理終了後に、コマンド分岐フェーズに戻って、他のコマンドの処理を実行できるようになる。更にこの際に例えば受電側（２次側）からの充電応答コマンドに対して、１次コイルと２次コイルの位置関係に依存した受電電力レベル情報を付加することで、通信後や満充電後の再充電開始時に位置ずれがあった場合には、電力伝送の再開を中止し、伝送不良による不要なトラブルを未然に回避することが可能になる。
【００１７】
また本発明の一態様では、前記コマンド処理部は、前記通信モードに移行する場合に、無接点電力伝送の伝送条件及び通信条件の少なくとも一方を、前記通常送電用の条件とは異なる前記通信モード用の条件に設定してもよい。
【００１８】
このようにすれば、通常送電用の伝送条件や通信条件とは別個に、通信モード用の伝送条件や通信条件を設定できるようになるため、通信の信頼性等を向上できる。
【００１９】
また本発明の一態様では、前記制御部は、前記負荷が有するバッテリの満充電が検出されて前記通常送電が停止した場合に、満充電検出後の待機フェーズに移行し、前記制御部は、前記満充電検出後の待機フェーズにおいて、前記バッテリの再充電確認処理を定期的に行う再充電確認処理部を含んでもよい。
【００２０】
このようにすれば、満充電検出後に送電を停止して、バッテリの再充電確認処理を定期的に実行できるようになり、省電力化等を図れる。
【００２１】
また本発明の一態様では、前記認証処理部は、前記満充電検出後の待機フェーズにおいて定期的に行われる再充電確認用の仮送電の期間において、前記認証処理を行い、前記認証処理部は、前記仮送電の期間の前記認証処理の後に、前記コマンド分岐フェーズに移行してもよい。
【００２２】
このようにすれば、再充電確認用の仮送電により受電側をパワーオンして、再充電確認処理を実行できるようになる。
【００２３】
また本発明の一態様では、前記再充電確認処理部は、前記満充電検出後の待機フェーズから前記認証処理のフェーズに移行する際に、再充電確認フラグをセット状態にするようにしてもよい。
【００２４】
このように再充電確認フラグをセット状態にすれば、認証処理のフェーズの後のコマンド分岐フェーズにおいて、この再充電確認フラグを用いて、再充電確認処理に移行できるようになる。
【００２５】
また本発明の一態様では、前記再充電確認処理部は、前記再充電確認処理において前記バッテリの再充電が必要であると判断され、前記通常送電を開始する場合には、前記再充電確認フラグをリセット状態にするようにしてもよい。
【００２６】
このように再充電確認フラグをリセット状態にすれば、コマンド分岐フェーズにおいて通常送電モード等に移行できるようになる。
【００２７】
また本発明の一態様では、前記再充電確認処理部は、前記再充電確認処理において、前記受電装置に対して再充電確認コマンドを送信し、前記再充電確認処理部は、前記バッテリの充電状態を知らせる応答コマンドを前記受電装置から受信した場合に、前記応答コマンドに基づいて、前記バッテリの再充電が必要か否かを判断してもよい。
【００２８】
このようにすれば、受電装置からの応答コマンドを用いて、バッテリの充電状態を確認できるようになる。
【００２９】
また本発明の他の態様は、上記のいずれかに記載の送電制御装置と、交流電圧を生成して１次コイルに供給する送電部と、を含む送電装置に関係する。
【００３０】
また本発明の他の態様は、上記に記載の送電装置を含む電子機器に関係する。
【００３１】
また本発明の他の態様は、無接点電力伝送システムの受電装置に設けられる受電制御装置であって、受電制御装置の制御を行う制御部を含み、前記制御部は、認証処理部と、コマンド処理部とを有し、前記認証処理部は、送電装置から前記受電装置への通常送電を開始する前に、前記送電装置の認証処理を行い、前記コマンド処理部は、前記通常送電を開始した後に、前記送電装置と前記受電装置との間で通信を行う通信モードへの移行イベントが発生した場合に、前記認証処理のフェーズに移行することなく、コマンド分岐フェーズに移行し、前記コマンド処理部は、前記コマンド分岐フェーズにおいて、前記通信モードのコマンド処理を行う受電制御装置に関係する。
【００３２】
本発明の他の態様によれば、送電装置からの通常送電の開始前に認証処理が行われる。そして通常送電開始後に、通信モードへの移行イベントが発生した場合には、この認証処理のフェーズに移行することなく、コマンドフェーズに移行して、通信モードのコマンド処理が実行される。従って、適正な通信モードの実現が可能になる。
【００３３】
また本発明の他の態様では、受電側ホストと通信を行うためのホストインターフェースを含み、前記コマンド処理部は、前記受電側ホストにより前記ホストインターフェースを介して送電側ホストに対する通信要求コマンドが発行された場合に、前記コマンド分岐フェーズに移行して、前記通信モードのコマンド処理を行ってもよい。
【００３４】
このようにすれば、受電側ホストが発行した通信要求コマンドにより通信モードに移行して、通信モードのコマンド処理を実行できるようになる。
【００３５】
また本発明の他の態様では、前記コマンド処理部は、前記送電側ホストが発行した通信要求のための割り込みコマンドを受信した場合に、前記コマンド分岐フェーズに移行して、前記通信モードのコマンド処理を行ってもよい。
【００３６】
このようにすれば、送電側ホストが発行した割り込みコマンドの受信により通信モードに移行して、通信モードのコマンド処理を実行できるようになる。
【００３７】
また本発明の他の態様では、前記制御部は、再充電確認処理部を含み、前記送電装置は、前記受電装置の負荷が有するバッテリの満充電検出により前記通常送電を停止した場合に、前記満充電検出後の待機フェーズに移行し、前記再充電確認処理部は、前記満充電検出後の待機フェーズにおいて、前記送電装置から再充電確認コマンドを受信した場合に、前記バッテリの充電状態を知らせる応答コマンドを前記送電装置に送信してもよい。
【００３８】
このようにすれば、送電装置から受信した再充電確認コマンドに対して、バッテリの充電状態を知らせる応答コマンドを送信することで、バッテリの充電状態を送電側に通知できるようになる。
【００３９】
また本発明の他の態様では、前記再充電確認処理部は、前記満充電検出後の待機フェーズにおいて前記送電装置が定期的に再充電確認用の仮送電を行った場合に、前記再充電確認用の仮送電の期間において、前記再充電確認コマンドの受信と前記応答コマンドの送信を行ってもよい。
【００４０】
このようにすれば、再充電確認用の仮送電によりパワーオンされて、再充電確認コマンドの受信や応答コマンドの送信などのコマンド処理を実行できるようになる。
【００４１】
また本発明の他の態様は、上記のいずれかに記載の受電制御装置と、２次コイルの誘起電圧を直流電圧に変換する受電部と、を含む受電装置に関係する。
【００４２】
また本発明の他の態様は、上記に記載の受電装置と、前記受電装置により電力が供給される負荷と、を含む電子機器に関係する。
【００４３】
また本発明の他の態様は、１次コイルと２次コイルを電磁的に結合させて送電装置から受電装置に対して電力を伝送し、前記受電装置の負荷に対して電力を供給する無接点電力伝送方法であって、前記送電装置から前記受電装置への通常送電を開始する前に、前記受電装置の認証処理を行い、前記通常送電を開始した後に、前記送電装置と前記受電装置との間で通信を行う通信モードへの移行イベントが発生した場合に、前記認証処理のフェーズに移行することなく、コマンド分岐フェーズに移行し、前記コマンド分岐フェーズにおいて、前記通信モードのコマンド処理を行う無接点電力伝送方法に関係する。
【００４４】
また本発明の他の態様では、受電側電子機器の取り去りが検出された場合、異物が検出された場合又は前記負荷が有するバッテリの満充電が検出された場合に、前記通常送電を停止し、前記通常送電の停止後に仮送電を行い、前記仮送電の期間において、前記認証処理を行い、前記仮送電の期間の前記認証処理のフェーズの後に、前記コマンド分岐フェーズに移行してもよい。
【００４５】
また本発明の他の態様では、前記通信モードに移行する場合に、無接点電力伝送の伝送条件及び通信条件の少なくとも一方を、前記通常送電用の条件とは異なる前記通信モード用の条件に設定してもよい。
【００４６】
また本発明の他の態様では、前記負荷が有するバッテリの満充電が検出されて前記通常送電が停止した場合に、満充電検出後の待機フェーズに移行し、前記満充電検出後の待機フェーズにおいて、前記バッテリの再充電確認処理を定期的に行ってもよい。
【００４７】
また本発明の他の態様では、前記バッテリの再充電確認処理において、前記バッテリの充電状態を前記受電装置から受信した場合に、前記充電状態に基づいて前記バッテリの再充電が必要か否かを判断してもよい。
【図面の簡単な説明】
【００４８】
【図１】図１（Ａ）、図１（Ｂ）、図１（Ｃ）は無接点電力伝送の説明図。
【図２】本実施形態の送電装置、送電制御装置、受電装置、受電制御装置の構成例。
【図３】図３（Ａ）、図３（Ｂ）は周波数変調、負荷変調によるデータ転送の説明図。
【図４】本実施形態の動作の概要を説明するためのフローチャート。
【図５】図５（Ａ）〜図５（Ｃ）は本実施形態の動作の説明図。
【図６】図６（Ａ）〜図６（Ｃ）は本実施形態の動作の説明図。
【図７】図７（Ａ）〜図７（Ｃ）は本実施形態の動作の説明図。
【図８】図８（Ａ）〜図８（Ｃ）は本実施形態の動作の説明図。
【図９】図９（Ａ）〜図９（Ｃ）は本実施形態の動作の説明図。
【図１０】無接点電力伝送の処理シーケンスの説明図。
【図１１】無接点電力伝送の処理シーケンスの説明図。
【図１２】本実施形態の送電装置、送電制御装置、受電装置、受電制御装置の詳細な構成例。
【図１３】本実施形態の動作を説明するためのフローチャート。
【図１４】本実施形態の動作を説明するためのフローチャート。
【図１５】本実施形態の動作を説明するためのフローチャート。
【発明を実施するための形態】
【００４９】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００５０】
１．電子機器
図１（Ａ）に本実施形態の無接点電力伝送手法が適用される電子機器の例を示す。電子機器の１つである充電器５００（クレードル）は送電装置１０を有する。また電子機器の１つである携帯電話機５１０は受電装置４０を有する。また携帯電話機５１０は、ＬＣＤなどの表示部５１２、ボタン等で構成される操作部５１４、マイク５１６（音入力部）、スピーカ５１８（音出力部）、アンテナ５２０を有する。
【００５１】
充電器５００にはＡＣアダプタ５０２を介して電力が供給され、この電力が、無接点電力伝送により送電装置１０から受電装置４０に送電される。これにより、携帯電話機５１０のバッテリを充電したり、携帯電話機５１０内のデバイスを動作させることができる。
【００５２】
なお本実施形態が適用される電子機器は携帯電話機５１０に限定されない。例えば腕時計、コードレス電話器、シェーバー、電動歯ブラシ、リストコンピュータ、ハンディターミナル、携帯情報端末、電動自転車、或いはＩＣカードなどの種々の電子機器に適用できる。
【００５３】
図１（Ｂ）に模式的に示すように、送電装置１０から受電装置４０への電力伝送は、送電装置１０側に設けられた１次コイルＬ１（送電コイル）と、受電装置４０側に設けられた２次コイルＬ２（受電コイル）を電磁的に結合させて電力伝送トランスを形成することで実現される。これにより非接触での電力伝送が可能になる。
【００５４】
なお、図１（Ｂ）では１次コイルＬ１、２次コイルＬ２は、平面上でスパイラル状にコイル線を巻くことで形成された例えば空芯の平面コイルになっている。しかしながら、本実施形態のコイルはこれに限定されず、１次コイルＬ１と２次コイルＬ２を電磁的に結合させて電力を伝送できるものであれば、その形状・構造等は問わない。
【００５５】
例えば図１（Ｃ）では、磁性体コアに対してＸ軸回りでコイル線をスパイラル状に巻くことで１次コイルＬ１が形成されている。携帯電話機５１０に設けられた２次コイルＬ２も同様である。本実施形態では図１（Ｃ）のようなコイルにも適用可能である。なお図１（Ｃ）の場合に、１次コイルＬ１や２次コイルＬ２として、Ｘ軸回りにコイル線を巻いたコイルに加えて、Ｙ軸周りにコイル線を巻いたコイルを組み合わせてもよい。
【００５６】
２．構成
図２に本実施形態の送電装置１０、送電制御装置２０、受電装置４０、受電制御装置５０の構成例を示す。図１（Ａ）の充電器５００などの送電側の電子機器は、図２の送電装置１０と送電側のホスト２を含む。また携帯電話機５１０などの受電側の電子機器は、受電装置４０と負荷９０（本負荷）と受電側のホスト４を含むことができる。これらのホスト（ホストプロセッサ）２、４は、例えばＣＰＵ、アプリケーションプロセッサ、ＡＳＩＣ回路等により実現でき、例えば送電側や受電側の電子機器の全体的な制御処理などの各種処理を行う。そして図２の構成により、例えば１次コイルＬ１と２次コイルＬ２を電磁的に結合させて送電装置１０から受電装置４０に対して電力を伝送し、負荷９０に対して電力を供給する無接点電力伝送（非接触電力伝送）システムが実現される。
【００５７】
送電装置１０（送電モジュール、１次モジュール）は、１次コイルＬ１、送電部１２、送電制御装置２０を含むことができる。なお送電装置１０や送電制御装置２０は図２の構成に限定されず、その構成要素の一部を省略したり、他の構成要素（例えば波形モニタ回路）を追加したり、接続関係を変更するなどの種々の変形実施が可能である。例えば送電部１２を送電制御装置２０に内蔵させてもよい。
【００５８】
１次コイルＬ１（送電側コイル）は、２次コイルＬ２（受電側コイル）と電磁結合して電力伝送用トランスを形成する。例えば電力伝送が必要なときには、図１（Ａ）、図１（Ｂ）に示すように、充電器５００の上に携帯電話機５１０を置き、１次コイルＬ１の磁束が２次コイルＬ２を通るような状態にする。一方、電力伝送が不要なときには、充電器５００と携帯電話機５１０を物理的に離して、１次コイルＬ１の磁束が２次コイルＬ２を通らないような状態にする。
【００５９】
送電部１２は、電力伝送時には所定周波数の交流電圧を生成し、データ転送時にはデータに応じて周波数が異なる交流電圧を生成して、１次コイルＬ１に供給する。この送電部１２は、１次コイルＬ１の一端を駆動する第１の送電ドライバと、１次コイルＬ１の他端を駆動する第２の送電ドライバと、１次コイルＬ１と共に共振回路を構成する少なくとも１つのコンデンサを含むことができる。そして送電部１２が含む第１、第２の送電ドライバの各々は、例えばパワーＭＯＳトランジスタにより構成されるインバータ回路（バッファ回路）であり、送電制御装置２０により制御される。
【００６０】
図２では、送電側から受電側へのデータ通信は周波数変調により実現し、受電側から送電側へのデータ通信は負荷変調により実現している。
【００６１】
具体的には図３（Ａ）に示すように、送電部１２は、例えばデータ「１」を受電側に対して送信する場合には、周波数ｆ１の交流電圧を生成し、データ「０」を送信する場合には、周波数ｆ２の交流電圧を生成する。そして受電側の検出回路５９が、この周波数の変化を検出することで、データ「１」、「０」を判別する。これにより、送電側から受電側への周波数変調によるデータ通信が実現される。
【００６２】
一方、受電側の負荷変調部４６は、送信するデータに応じて受電側の負荷を可変に変化させて、図３（Ｂ）に示すように１次コイルＬ１の誘起電圧の信号波形を変化させる。例えばデータ「１」を送電側に対して送信する場合には、受電側を高負荷状態にし、データ「０」を送信する場合には、受電側を低負荷状態にする。そして送電側の負荷状態検出回路３０が、この受電側の負荷状態の変化を検出することで、データ「１」、「０」を判別する。これにより、受電側から送電側への負荷変調によるデータ通信が実現される。
【００６３】
なお図３（Ａ）、図３（Ｂ）では送電側から受電側へのデータ通信を周波数変調により実現し、受電側から送電側へのデータ通信を負荷変調により実現しているが、これ以外の変調方式や他の方式を採用してもよい。
【００６４】
送電制御装置２０は、送電装置１０の各種制御を行う装置であり、集積回路装置（ＩＣ）やマイクロコンピュータとそのプログラムなどにより実現できる。この送電制御装置２０は、制御部２２、レジスタ部２３、ホストＩ／Ｆ（インターフェース）２７、負荷状態検出回路３０を含むことができる。なお、これらの構成要素の一部（例えばホストＩ／Ｆ、負荷状態検出回路）を省略したり、他の構成要素を追加するなどの変形実施も可能である。
【００６５】
制御部２２（送電側）は送電制御装置２０や送電装置１０の制御を行うものである。この制御部２２は、例えばゲートアレイなどのＡＳＩＣ回路により実現したり、マイクロコンピュータ及びマイクロコンピュータ上で動作するプログラムなどにより実現できる。この制御部２２は、送電部１２を用いた送電の制御を行ったり、レジスタ部２３の制御を行ったり、負荷状態検出回路３０を制御する。
【００６６】
制御部２２は、認証処理部１００、コマンド処理部１０１、送電制御部１０２、通信処理部１０４、検知判定部１０６、定期認証判定部１０８、再充電確認処理部１０９を含む。
【００６７】
認証処理部１００は認証処理を行う。例えば、後述するネゴシエーション処理等により受電側の認証情報（例えば受電側の規格／コイル／システム情報）と送電側の認証情報（例えば送電側の規格／コイル／システム情報）の照合処理を行い、受電装置４０が適正な装置であるか否かを認証する。コマンド処理部１０１は送電側や受電側が発行したコマンドについての処理を行う。送電制御部１０２は送電制御を行う。例えば、無接点電力伝送の送電（通常送電、仮送電）についてのシーケンス制御や電力制御などを行う。通信処理部１０４は送電装置１０と受電装置４０との間の通信処理を行う。例えば周波数変調等により受電側にデータを送信する処理や、負荷復調等により受電側からデータを受信する処理の制御を行う。検知判定部１０６は、例えば負荷状態検出回路３０が受電側の負荷状態の検出を行った場合に、その検出情報に基づいて、異物検出、取り去り検出などの検知判定を行う。定期認証判定部１０８は、通常送電開始後に受電側が例えば定期認証を行った場合に、適正な定期認証が行われたか否かの判定処理を行う。再充電確認処理部１０９は満充電検出後の再充電確認処理を行う。
【００６８】
レジスタ部２３（記憶部）は、送電側のホスト２がホストＩ／Ｆ２７を介してアクセス（書き込み、読み出し）可能になっており、例えば、ＲＡＭやＤフリップフロップなどにより実現できる。このレジスタ部２３は、情報レジスタ１１０、ステータスレジスタ１１２、コマンドレジスタ１１４、割り込みレジスタ１１６、データレジスタ１１８を含む。なおレジスタ部２３に記憶される情報をフラッシュメモリやマスクＲＯＭなどの不揮発性メモリに記憶しておいてもよい。
【００６９】
情報レジスタ１１０は、無接点電力伝送の伝送条件や通信条件等の情報を記憶するためのレジスタである。例えば駆動周波数、駆動電圧のパラメータや、受電側の負荷状態の検出のためのパラメータ（しきい値）などを記憶する。ステータスレジスタ１１２は、送電状態や通信状態などの各種状態をホスト２が確認するためのレジスタである。コマンドレジスタ１１４は、ホスト２が各種コマンドを書き込むためのレジスタである。割り込みレジスタ１１６は各種の割り込みのためのレジスタであり、例えば各割り込みのイネーブル／ディスエーブルを設定するためのレジスタや、割り込み要因をホスト２に通知するためのレジスタを有する。データレジスタ１１８は、充電側への送信データや受電側からの受信データをバッファリングするためのレジスタである。
【００７０】
ホストＩ／Ｆ２７は、送電側のホスト２と通信を行うためのインターフェースであり、図２ではＩ２Ｃ（Inter Integrated Circuit）により通信が実現される。ここでホスト２は送電側の電子機器（充電器）に搭載されるＣＰＵなどである。
【００７１】
Ｉ２Ｃは、同一基板内等の近距離に配置された複数のデバイス間でデータのやり取りを行うための通信方式であり、複数のデバイス間でＳＤＡ(serial data）とＳＣＬ(serial clock)の２本の信号線をバスとして共有して通信が行われる。具体的には、１つのデバイスをマスタ（ホスト）にして、それに対してスレーブとなる複数のデバイスをバス接続することによって通信を実現する。またスレーブ側はＸＩＮＴ（external Interrupt）を用いてマスタに対して割り込みをかけることができる。或いはＩ２Ｃバス上からの割り込みリクエストをかけることもできる。なお、ホスト・ホストＩ／Ｆ間の通信方式はＩ２Ｃには限定されず、Ｉ２Ｃと同様の思想に基づく通信方式や、通常のシリアルインターフェースやパラレルインターフェースの通信方式であってもよい。
【００７２】
負荷状態検出回路３０（波形検出回路）は受電側（受電装置又は異物）の負荷状態を検出する。この負荷状態の検出は、１次コイルＬ１の誘起電圧信号（コイル端信号）の波形変化を検出することで実現できる。例えば受電側（２次側）の負荷状態（負荷電流）が変化すると、誘起電圧信号の波形が変化する。負荷状態検出回路３０は、このような波形の変化を検出して、検出結果（検出結果情報）を制御部２２に出力する。そして制御部２２は、負荷状態検出回路３０での負荷状態の検出情報に基づいて、受電側（２次側）の負荷状態（負荷変動、負荷の高低）を判定する。
【００７３】
受電装置４０（受電モジュール、２次モジュール）は、２次コイルＬ２、受電部４２、負荷変調部４６、給電制御部４８、受電制御装置５０を含むことができる。なお受電装置４０や受電制御装置５０は図２の構成に限定されず、その構成要素の一部（例えば負荷変調部）を省略したり、他の構成要素を追加したり、接続関係を変更するなどの種々の変形実施が可能である。例えば受電部４２、負荷変調部４６、給電制御部４８のいずれかを受電制御装置５０に内蔵させてもよい。
【００７４】
受電部４２は、２次コイルＬ２の交流の誘起電圧を直流電圧に変換する。この変換は受電部４２が有する整流回路などにより実現できる。
【００７５】
負荷変調部４６は負荷変調処理を行う。具体的には受電側から送電側にデータを送信する場合に、送信するデータに応じて負荷変調部４６（２次側）での負荷を可変に変化させて、図３（Ｂ）に示すように１次コイルＬ１の誘起電圧の信号波形を変化させる。
【００７６】
給電制御部４８は負荷９０への電力の給電を制御する。即ち負荷９０への電力の給電をオンにしたり、オフにする制御を行う。具体的には、受電部４２（整流回路）からの直流電圧のレベルを調整して、電源電圧を生成して、負荷９０に供給し、負荷９０のバッテリ９４を充電する。なお負荷９０はバッテリ９４を含まないものであってもよい。
【００７７】
受電制御装置５０は、受電装置４０の各種制御を行う装置であり、集積回路装置（ＩＣ）やマイクロコンピュータとそのプログラムなどにより実現できる。この受電制御装置５０は、２次コイルＬ２の誘起電圧から生成される電源電圧により動作することができる。この受電制御装置５０は、制御部５２、レジスタ部５３、ホストＩ／Ｆ５７、検出回路５９を含むことができる。なお、これらの構成要素の一部（例えばホストＩ／Ｆ、検出回路）を省略したり、他の構成要素を追加するなどの変形実施も可能である。
【００７８】
制御部５２（受電側）は受電制御装置５０や受電装置４０の制御を行うものである。この制御部５２は、例えばゲートアレイなどのＡＳＩＣ回路により実現したり、マイクロコンピュータ及びマイクロコンピュータ上で動作するプログラムなどにより実現できる。この制御部５２は、負荷変調部４６や給電制御部４８の制御を行ったり、レジスタ部５３の制御を行う。
【００７９】
制御部５２は、認証処理部１２０、コマンド処理部１２１、受電制御部１２２、通信処理部１２４、検知判定部１２６、定期認証制御部１２８、再充電確認処理部１２９を含む。
【００８０】
認証処理部１２０は認証処理を行う。例えば、ネゴシエーション処理等により受電側の認証情報と送電側の認証情報の照合処理を行い、送電装置１０が適正な装置であるか否かを認証する。コマンド処理部１２１は受電側や送電側が発行したコマンドについての処理を行う。受電制御部１２２は受電制御を行う。例えば、無接点電力伝送の受電についてのシーケンス制御を行う。通信処理部１２４は、例えば負荷変調により送電側にデータを送信する処理や、周波数復調により送電側からデータを受信する処理の制御を行う。検知判定部１２６は、検出回路５９が位置検出や周波数検出を行った場合に、その検出情報に基づいて検知判定を行う。定期認証制御部１２８は、通常送電開始後に行われる定期認証の制御を行う。例えば、いわゆる異物による乗っ取り状態を検出するために、通常送電開始後に定期的（間欠的）に受電側の負荷状態を変化させる。再充電確認処理部１２９は満充電検出後の再充電確認処理を行う。
【００８１】
レジスタ部５３（記憶部）は、受電側のホスト４がホストＩ／Ｆ５７を介してアクセス可能になっており、例えば、ＲＡＭやＤフリップフロップなどにより実現できる。このレジスタ部５３は、情報レジスタ１３０、ステータスレジスタ１３２、コマンドレジスタ１３４、割り込みレジスタ１３６、データレジスタ１３８を含む。なおレジスタ部５３に記憶される情報をフラッシュメモリやマスクＲＯＭなどの不揮発性メモリに記憶しておいてもよい。
【００８２】
なお情報レジスタ１３０、ステータスレジスタ１３２、コマンドレジスタ１３４、割り込みレジスタ１３６、データレジスタ１３８の機能は送電側のレジスタとほぼ同様であるため、説明を省略する。
【００８３】
ホストＩ／Ｆ５７は、例えばＩ２Ｃ等により受電側のホスト４と通信を行うためのインターフェースである。ここでホスト４は、受電側の電子機器に搭載されるＣＰＵやアプリケーションプロセッサなどである。検出回路５９は、１次コイルＬ１と２次コイルＬ２の位置関係の検出や、送電側から受電側へのデータ送信の際のコイル駆動周波数の検出などを行う。
【００８４】
送電側の認証処理部１００はネゴシエーション処理部３７、セットアップ処理部３８を含み、受電側の認証処理部１２０も、ネゴシエーション処理部６７、セットアップ処理部６８を含むことができる。
【００８５】
ネゴシエーション処理部３７、６７は、無接点電力伝送のネゴシエーション処理を行う。即ち、送電側と受電側の間で、無接点電力伝送の基本的な設定（規格、コイル、システム、安全機能等）についての情報交換を行う。そしてセットアップ処理部３８、６８は、ネゴシエーション処理の結果に基づいて、無接点電力伝送のセットアップ処理を行う。即ちネゴシエーション処理により無接点電力伝送の認証処理が行われた後、送電側と受電側との間で、機器やアプリケーション毎に異なるセットアップ情報の情報交換を行う。そしてコマンド処理部１０１、１２１は、セットアップ処理の後に、無接点電力伝送のコマンド処理を行う。即ち、基本的なコマンドやセットアップ処理で対応可能になったコマンドの発行や実行などを行う。
【００８６】
具体的には送電側のネゴシエーション処理部３７は、受電装置４０との間で情報の通信が可能か否かの確認処理や、通信した情報が妥当か否かの確認処理や、受電側の負荷状態が適正か否かの確認処理を行う。更に具体的には、ネゴシエーション処理部３７は、受電装置４０との間で、規格情報やコイル情報や負荷状態検出方式を示すシステム情報の照合処理を行う。
【００８７】
セットアップ処理部３８は、ネゴシエーション処理の結果に基づいて、無接点電力伝送の伝送条件を設定する。具体的には、受電装置４０が無接点電力伝送の伝送条件情報を送信した場合に、その伝送条件情報を受信して、無接点電力伝送の伝送条件を設定する。即ち、受電装置４０が、コイルの駆動電圧や駆動周波数等の通常送電に必要な伝送条件情報を送信すると、その伝送条件情報に基づいて、駆動電圧や駆動周波数等の伝送条件を設定する。また受電装置４０が通信条件情報を送信した場合に、その通信条件情報を受信して、通信条件を設定する。即ち、受電装置４０が、通信方式や通信パラメータなどを指定する通信条件情報を送信すると、その通信条件情報に基づいて、通信条件を設定する。また、セットアップ処理部３８は、送電装置１０との間で、機器やアプリケーション毎に異なるセットアップ情報の情報交換を行う。
【００８８】
コマンド処理部１０１は、セットアップ処理の後に、例えば、通常送電開始コマンドや、バッテリ９４の満充電検出コマンド（満充電通知コマンド）や、バッテリ９４の再充電確認コマンドなどの各種コマンドの処理を行う。即ち、これらのコマンドの発行や実行を行う。
【００８９】
受電側のネゴシエーション処理部６７は、送電装置１０との間で情報の通信が可能か否かの確認処理や、通信した情報が妥当か否かの確認処理を行う。即ち、規格／コイル／システム情報を送電側に送信し、送電側から規格／コイル／システム情報を受信すると、送電側の規格／コイル／システム情報と受電側の規格／コイル／システムとが適合（一致）しているか否かを確認する。
【００９０】
セットアップ処理部６８は、ネゴシエーション処理の結果に基づいて、無接点電力伝送の伝送条件情報や通信条件情報を送電装置１０に送信する。即ち、コイルの駆動電圧や駆動周波数等の通常送電に必要な伝送条件情報を送信する。また、通信方式や通信パラメータ等の通信条件情報を送信する。また、送電装置１０との間で、機器やアプリケーション毎に異なるセットアップ情報の情報交換を行う。
【００９１】
コマンド処理部１２１は、セットアップ処理の後に、通常送電開始コマンドや、バッテリ９４の満充電検出コマンドや、バッテリ９４の再充電確認コマンドや、通信コマンドなどの各種コマンドの処理を行う。即ち、これらのコマンドの発行や実行を行う。
【００９２】
図４に本実施形態の動作の概要を説明するためのフローチャートを示す。
【００９３】
送電側は、パワーオンの後に、仮送電を開始する（ステップＳ２０１、Ｓ２０２）。これにより受電側はパワーオンになり、パワーオンリセットされる（ステップＳ２１１、Ｓ２１２）。そして送電側及び受電側は、認証情報の交換等により認証処理を行う（ステップＳ２０３、Ｓ２１３）。
【００９４】
送電側及び受電側は、認証処理の後にコマンド分岐のフェーズ（分岐したコマンドの処理が実行される期間、モード）に移行する（ステップＳ２０４、Ｓ２１４）。そして送電側が通常送電を開始すると、受電側は負荷への給電を開始する（ステップＳ２０５、Ｓ２１５）。
【００９５】
送電側は、通常送電開始後に、受電側電子機器の取り去り検出や、異物検出を行う（ステップＳ２０６）。そして、取り去りや異物が検出されると、受電側への送電を停止する。そして、仮送電を行い、認証処理のフェーズ（認証処理が実行される期間、モード）に移行する（ステップＳ２０２、Ｓ２０３）。
【００９６】
送電側は、取り去りや異物が検出されなかった場合には、通信モードへの移行イベントが発生したか否かを判断し、発生した場合にはコマンド分岐フェーズ（コマンド分岐モード）に移行する（ステップＳ２０７、Ｓ２０４）。そして通信モードのコマンド処理を行い（ステップＳ２０８）、通信モードが終了すると、コマンド分岐のフェーズに戻る。
【００９７】
一方、受電側は、通常送電開始後に、通信モードへの移行イベントが発生したか否かを判断し、発生した場合にはコマンド分岐フェーズに移行する（ステップＳ２１６、Ｓ２１４）。そして通信モードのコマンド処理を行う（ステップＳ２１８）。
【００９８】
次に、受電側は、負荷９０のバッテリ９４の満充電を検出し、満充電が検出された場合には、送電側に満充電の検出を通知する満充電検出コマンドを送信する（ステップＳ２１７、Ｓ２１９）。
【００９９】
一方、送電側は、受電側から満充電検出コマンドを受信すると、受電側への送電を停止する。そして、仮送電を開始し、認証処理のフェーズ（認証処理モード）に移行する（ステップＳ２０２、Ｓ２０３）。
【０１００】
図４に示すように本実施形態では、送電側の認証処理部１００は、通常送電開始前に、受電装置４０の認証処理を行う（ステップＳ２０３）。またコマンド処理部１０１は、通常送電開始後に、送電装置１０（送電側ホスト２）と受電装置４０（受電側ホスト４）との間で通信を行う通信モードへの移行イベントが発生した場合に、認証処理のフェーズに移行することなく、コマンド分岐フェーズに移行し、通信モードのコマンド処理を行う（ステップＳ２０７、Ｓ２０４、Ｓ２０８）。そして通信モードが終了すると、コマンド分岐フェーズに戻る。
【０１０１】
同様に、受電側の認証処理部１２０は、通常送電開始前に、送電装置１０の認証処理を行う（ステップＳ２１３）。またコマンド処理部１２１は、通常送電開始後に、通信モードへの移行イベントが発生した場合に、認証処理のフェーズに移行することなく、コマンド分岐フェーズに移行し、通信モードのコマンド処理を行う（ステップＳ２１６、Ｓ２１４、Ｓ２１８）。
【０１０２】
また送電制御部１０２は、受電側の電子機器の取り去りや異物が検出された場合（ステップＳ２０６）や、バッテリ９４の満充電が検出された場合（ステップＳ２０９）に、通常送電を停止する。そして認証処理部１００は、通常送電停止後の仮送電の期間において、認証処理を行い（ステップＳ２０３）、認証処理のフェーズの後にコマンド分岐フェーズに移行する（ステップＳ２０４）。受電側も、取り去りや異物が検出されたり、満充電が検出されると、通常送電が停止することで、パワーオフされる（ステップＳ２１１）。そして仮送電によりパワーオンリセットされて、認証処理を行い（ステップＳ２１２、Ｓ２１３）、認証処理のフェーズの後にコマンド分岐フェーズに移行する（ステップＳ２１４）。
【０１０３】
このように本実施形態では、取り去り・異物・満充電検出等のイベントが発生すると、一旦、送電を停止し、仮送電により認証処理（ネゴシエーション、セットアップ処理）を行い、その後にコマンド分岐フェーズに移行するというフェーズ遷移が基本になっている。このようにすれば、例えば満充電検出後等に受電側の機器が異物等にすり替わってしまった場合にも、認証処理が行われるため、安全性や信頼性を向上できる。
【０１０４】
ところが、取り去り・異物・満充電検出等により送電が停止すると、受電側はパワーオフになるため、受電側のレジスタ部５３に記憶されているデータやコマンドが消失してしまう事態が生じる。例えば送電側と受電側の間の通信のために、ホスト４がコマンドレジスタ１３４に書き込んだコマンドや、データレジスタ１３８に書き込んだデータについても、送電が停止すると消失してしまう。従って、通信モードの利便性が低下してしまうおそれがある。
【０１０５】
この点、本実施形態では、通信モードについては、取り去り・異物・満充電検出とは異なる遷移フェーズになっている。即ち、取り去り・異物・満充電検出のイベントの発生時には送電が停止して認証処理のフェーズに移行するが（ステップＳ２０２、Ｓ２０３、Ｓ２１２、Ｓ２１３）、通信モードへの移行イベントの発生時には、送電は停止せずに、コマンド分岐フェーズに移行して、通信モードのコマンド処理が行われる（ステップＳ２０４、Ｓ２０８、Ｓ２１４、Ｓ２１８）。
【０１０６】
このようにすれば、通信モードへの移行イベント発生時には、送電は停止しないようになるため、受電側はパワーオフにならず、受電側のレジスタ部５３に記憶されているデータやコマンドは消失しない。従って、通信モードの利便性が低下してしまう事態を防止できる。即ち、受電側のすり替わり防止対策と適正な通信モードの実現を両立できる。
【０１０７】
なお通信モードへの移行イベントは、例えば送電側のホスト２によりホストＩ／Ｆ２７を介して受電側のホスト４に対する通信要求コマンドが発行された場合や、受電側のホスト４が発行した通信割り込みコマンドを送電装置１０が受信した場合などに発生する。
【０１０８】
またコマンド処理部１０１、１２１は、通信モードに移行する場合に、無接点電力伝送の伝送条件及び通信条件の少なくとも一方を、通常送電用の条件とは異なる通信モード用の条件に設定する。例えば通常送電が開始すると、通常送電用の伝送条件で無接点電力伝送を行う。そして通常送電開始後に、通常送電のモード（充電モード）から通信モードに移行すると、通常送電用の伝送条件や通信条件から通信モード用の伝送条件や通信条件に切り替える。なお通信条件は、例えば通信方式（パルス幅検出方式、電流検出方式、振幅検出方式等）や通信パラメータ（周波数変調の周波数や負荷変調のしきい値等）である。
【０１０９】
具体的には通信モードに移行した場合に、１次コイルＬ１の駆動周波数（ｆ１、ｆ２）を通信モード用の駆動周波数に切り替える。或いは、１次コイルＬ１の駆動電圧（ＶＦ）を通信モード用の駆動電圧に切り替えてもよい。また、データ検知や異物検知のための負荷状態検出用のパラメータ（しきい値）を通信モード用のパラメータに切り替えてもよい。
【０１１０】
即ち、通常送電モード（充電モード）では、例えば最も高い伝送効率の送電を実現できる伝送条件や通信条件に設定される。一方、通信モードでは、送電の伝送効率を高くする必要はなく、データ転送エラー等が生じない伝送条件や通信条件に設定することが望ましい。
【０１１１】
そこで、通信モードでは、送電の伝送効率よりも通信の信頼性を優先した伝送条件や通信条件に切り替える。例えば駆動周波数を低くしたり、駆動電圧を低くする。或いは通信パラメータであるしきい値を変更したり、通信方式を別の方式に変更する。このようにすることで、データ転送エラー等が低減され、通信の信頼性を向上できる。
【０１１２】
なお通信モード用の通信条件や伝送条件は、例えば通常送電開始前の仮送電期間での通信条件や伝送条件とすることができる。即ち、コマンド（通信割り込み要求、満充電検出、再充電確認等のコマンド）については、通常送電期間において通信されるため、受電側から受信した通信条件・伝送条件情報を使用して通信する。一方、アプリケーションデータを通信する通信モードでは、負荷９０への電力供給を停止できるため、受電側から受信した通信条件・伝送条件情報を使用する必要はなく、より安全で確実な通信が可能なデフォルト設定の初期通信条件・伝送条件情報を使用する。即ち、通信モードでは、送電の伝送効率よりも通信の信頼性を優先した仮送電期間での通信条件や伝送条件に使用する。
【０１１３】
再充電確認処理部１０９は、バッテリ９４の満充電が検出されて通常送電が停止した場合に、満充電検出後の待機フェーズ（満充電検出後において待機する期間、モード）に移行し、この満充電検出後の待機フェーズにおいて、バッテリ９４の再充電確認処理を定期的（間欠的）に行う。そして認証処理部１００は、満充電検出後の待機フェーズにおいて定期的に行われる再充電確認用の仮送電の期間において、認証処理を行い、その後にコマンド分岐フェーズに移行する。
【０１１４】
このように満充電検出後に通常送電を停止することで、省電力化を図れる。また、通常送電停止後も、定期的に再充電確認処理を行うことで、バッテリ９４の電圧が低下して、再度、充電が必要になったかを否かを定期的に確認できる。また再充電確認処理の前に認証処理を行うことで、満充電検出後に受電側の機器のすり替わりが発生した場合にも、これを検出できる。
【０１１５】
具体的には、送電側の再充電確認処理部１０９は、満充電検出後の待機フェーズ（待機モード）から認証処理のフェーズに移行する際に、再充電確認フラグをセット状態（＝１）にする。そして認証処理フェーズからコマンド分岐フェーズを経て再充電確認処理フェーズに移行すると、受電装置４０に対して再充電確認コマンドを送信する。
【０１１６】
このように、満充電検出後の待機フェーズから認証処理のフェーズに移行する際に再充電確認フラグをセット状態にすることで、認証処理の後のコマンド分岐において、再充電確認のコマンド処理に適正に分岐できるようになる。また再充電確認処理において受電装置４０に対して再充電確認コマンドを送信することで、受電側に再充電確認処理を行わせることが可能になる。
【０１１７】
次に再充電確認処理部１０９は、バッテリ９４の充電状態（再充電か必要か否か、或いはバッテリ電圧等）を知らせる応答コマンドを受電装置４０から受信すると、その応答コマンドに基づいて、バッテリ９４の再充電が必要か否かを判断する。そしてバッテリ９４の再充電が必要であると判断され、通常送電を開始する場合には、再充電確認フラグをリセット状態（＝０）にする。一方、バッテリ９４の再充電が必要ではないと判断された場合には、満充電検出後の待機フェーズに戻る。
【０１１８】
このよう受電装置４０からの応答コマンドに基づいて再充電が必要か否かを判断すれば、再充電が必要か否かの適正な判断が可能になる。また再充電が必要であると判断された場合に再充電確認フラグをリセット状態にすることで、再度、仮送電に戻り、認証処理を行った上で、コマンド分岐において、再度、再充電確認処理のフェーズ（再充電確認処理が実行される期間、モード）に移行しないようになり、通常送電（充電）モードに移行できるようになる。また再充電が必要ではないと判断された場合に、満充電検出後の待機フェーズに戻ることで、例えば所定期間後に、再度、バッテリ９４の再充電確認処理を実行できるようになる。
【０１１９】
一方、受電側の再充電確認処理部１２９は、バッテリ９４の満充電検出により通常送電が停止し、満充電検出後の待機フェーズに移行した送電装置１０から再充電確認コマンドを受信すると、バッテリ９４の充電状態を知らせる応答コマンドを送電装置１０に送信する。この応答コマンドは、再充電が必要か否かということだけを知らせるコマンドであってもよいし、バッテリ電圧等を知らせるコマンドであってもよい。そして受電側の再充電確認処理部１２９は、満充電検出後の待機フェーズにおいて送電装置１０が定期的に再充電確認用の仮送電を行った場合に、この再充電確認用の仮送電の期間において、再充電確認コマンドの受信と応答コマンドの送信を行うことになる。
【０１２０】
このようにすれば、満充電検出後は、再充電確認コマンドの受信や応答コマンドの送信が行われる再充電確認用の仮送電の期間においてだけ、受電側がパワーオンになるため、省電力化を実現できる。
【０１２１】
なお図２では、送電側と受電側にホストＩ／Ｆ２７、５７を設けることで、送電側、受電側のホスト２、４の間での通信を可能にしている。即ち、これまでの無接点電力伝送システムでは、送電側と受電側の間でＩＤ認証情報しか通信できなかった。これに対して、図２の構成によれば、アプリケーションデータを、無接点電力伝送を利用して、充電器などの送電側機器と携帯電話機などの受電側機器との間で通信することが可能になる。従って、充電期間等を有効活用して機器間でデータを通信することが可能になるため、ユーザの利便性を大幅に向上できる。
【０１２２】
具体的には図２において、送電側のホスト２と受電側のホスト４との間での通信を要求する通信要求コマンドが、ホストＩ／Ｆ２７を介してホスト２によりレジスタ部２３に書き込まれたとする。この場合には送電側の制御部２２は、ホスト２、４の間で通信を行う通信モードに移行すると共に、その通信要求コマンドを受電装置４０に送信する。
【０１２３】
一方、受電側の制御部５２は、ホスト２、４の間での通信を要求する通信要求コマンドを、送電装置１０から受信すると、通信モードに移行する。例えば送電側から通信要求コマンドが送信されると、そのコマンドの受信がホスト４に通知されると共に、受電側の動作モードも通信モードに移行する。これによりホスト２、４の間での通信が可能になる。
【０１２４】
ここで通信要求コマンドとしては、例えばＯＵＴ転送コマンドやＩＮ転送コマンドがある。ＯＵＴ転送コマンドは、送電側のホスト２から受電側のホスト４へのデータ転送を要求するコマンドである。制御部２２は、このＯＵＴ転送コマンドがレジスタ部２３のコマンドレジスタ１１４に書き込まれると、そのＯＵＴ転送コマンドを受電装置４０に送信する。次に、受電側からＡＣＫコマンドが返送されてくるのを確認した後に、データ転送を指示するデータ転送コマンド（ＤＡＴＡ０、ＤＡＴＡ１）がコマンドレジスタ１１４に書き込まれ、対応するデータがデータレジスタ１１８に書き込まれると、そのデータ転送コマンドとデータを受電装置４０に送信する。
【０１２５】
一方、ＩＮ転送コマンドは、受電側のホスト４から送電側のホスト２へのデータ転送を要求するコマンドである。制御部２２は、このＩＮ転送コマンドがコマンドレジスタ１１４に書き込まれると、そのＩＮ転送コマンドを受電装置４０に送信する。次に、受電装置４０から、データ転送コマンドとデータを受信した場合に、受信したデータをデータレジスタ１１８に書き込む。またデータ転送コマンドを受信したことを割り込みレジスタ１１６を用いてホスト２に通知する。
【０１２６】
また図２では、受電側のホスト４が発行した通信要求のための割り込みコマンドを受信した場合にも、通信モードに移行する。具体的には、ホスト４が通信要求のための割り込みコマンド（ＩＮＴ）を発行すると、このコマンドの受信が割り込みレジスタ１１６によりホスト２に通知されると共に、動作モードが通信モードに移行する。このようにすることで、送電側のホスト２からの通信要求のみならず、受電側のホスト４からの通信要求によっても、通信モードに移行することが可能になる。また受電側のレジスタ部５３も、受電側のホスト４が発行したコマンドが書き込まれるコマンドレジスタ１３４を有している。そして受電側の制御部５２は、送電側のホスト２に対する通信要求のための割り込みコマンド（ＩＮＴ）が、受電側のホスト４によりコマンドレジスタ１３４に書き込まれると、通信モードに移行する。
【０１２７】
３．動作
次に本実施形態の動作について図２と図５（Ａ）〜図９（Ｃ）を用いて説明する。
【０１２８】
まず図５（Ａ）に示すように送電装置１０は、通常送電を開始する前に、仮送電（位置検出用送電）を開始する。この仮送電により、受電装置４０に対して電源電圧が供給されて、受電装置４０のパワーオンが行われる。そして受電装置４０は、例えば１次コイルＬ１と２次コイルＬ２の位置関係が適正か否かを判定する。
【０１２９】
図５（Ｂ）に示すように、Ｌ１とＬ２の位置関係が適正であると判定されると、送電側と受電側との間で仮伝送条件を維持したままで認証処理が行われる。具体的には例えば後述するようなネゴシエーション処理やセットアップ処理が行われる。これらの処理により、伝送条件や通信条件等の各種情報が情報レジスタ１１０、１３０に設定される。
【０１３０】
送電側と受電側との間での認証処理が適正に終了すると、例えば受電側から送電側にスタートフレームが送信される。これにより図５（Ｃ）に示すように、送電側は、受電側に対する通常送電を開始し、負荷９０のバッテリ９４の充電等が開始する。このように通常送電が開始すると、送電側のホスト２からの通信要求が受け付けられるようになる。
【０１３１】
例えば図６（Ａ）では、送電側のホスト２がＯＵＴ転送やＩＮ転送の通信要求コマンドを発行しており、この通信要求コマンドはホストＩ／Ｆ２７を介してレジスタ部２３（コマンドレジスタ）に書き込まれる。これにより、送電側は通信モードに移行する（図４のステップＳ２０７）。具体的には、伝送条件や通信条件を通常送電用から通信モード用の条件に切り替える。また定期認証の判定処理をオフにする。そしてコマンド分岐フェーズに移行して、通信モードのコマンド処理を行う（ステップＳ２０４、Ｓ２０８）。送電側は、この通信モードのコマンド処理において、ＯＵＴ転送やＩＮ転送の通信要求コマンド（コマンドパケット）を、無接点電力伝送（周波数変調）により受電側に送信する。
【０１３２】
受電側は、通信要求コマンドを受信すると、通信モードに移行する（ステップＳ２１６）。具体的には、伝送条件や通信条件を通常送電用から通信モード用の条件に切り替える。また負荷９０への給電をオフにし、定期認証の送出処理をオフにする。このように、負荷９０への給電をオフにすることで、通信モードにおいて、負荷９０の変動が、データ通信のための負荷変調に悪影響を及ぼすのを防止できる。そしてコマンド分岐フェーズに移行して、通信モードのコマンド処理を行う（ステップＳ２１４、Ｓ２１８）。
【０１３３】
一方、図６（Ｂ）では、受電側のホスト２が、送電側のホスト４との通信を要求する通信割り込みコマンドを発行しており、この通信割り込みコマンドは、ホストＩ／Ｆ５７を介してレジスタ部５３（コマンドレジスタ）に書き込まれる。これにより受電側は通信モードに移行する（ステップＳ２１６）。具体的には、通常送電用の条件に切り替え、負荷への給電オフと定期認証のオフを行い、コマンド分岐フェーズに移行して、通信モードのコマンド処理を行う（ステップＳ２１４、Ｓ２１８）。受電側は、このコマンド処理において、通信割り込みコマンドを、無接点電力伝送（負荷変調）により送電側に送信する。
【０１３４】
送電側は、通信割り込みコマンドを受信すると、通信モードに移行する（ステップＳ２０７）。具体的には、通信モード用の条件の切り替え、定期認証判定のオフを行い、コマンド分岐フェーズに移行して、通信モードのコマンド処理を行う（ステップＳ２０４、Ｓ２０８）。
【０１３５】
図６（Ｃ）に示すように、通信モードが終了すると、送電側はコマンド分岐フェーズに戻り、通常送電コマンドを送信し、受電側から通常送電応答コマンドが返送されてくるのを待って、通常送電を開始して、通常送電（充電）モードに移行する。通常送電が開始すると、受電側も通常送電モードに移行する。
【０１３６】
図７（Ａ）に示すように、受電側電子機器の取り去りが検出されたり、異物が検出されると、送電側は送電を停止する（ステップＳ２０６）。これにより受電側はパワーオフになる。そして図７（Ｂ）に示すように送電側は仮送電を開始し、認証処理を行い、その後、コマンド分岐フェーズに移行する（ステップＳ２０２、Ｓ２０３、Ｓ２０４）。また、仮送電が開始すると、パワーオンリセットされた受電側は、認証処理を行い、その後、コマンド分岐フェーズに移行する（ステップＳ２１２、Ｓ２１３、Ｓ２１４）。なお、受電側電子機器が取り去られたままであったり、異物が挿入されたままである場合には、取り去り検出後の待機フェーズに移行し、受電側電子機器の着地検出が行われる。
【０１３７】
また図７（Ｃ）に示すように、受電側が、バッテリ９４の満充電を検出すると、満充電検出コマンド（満充電通知コマンド）を送電側に送信する（ステップＳ２１９）。図８（Ａ）に示すように、送電側は、この満充電検出コマンドを受信すると（ステップＳ２０９）、満充電検出後の待機フェーズに移行する。そして受電側への送電を停止し、これにより受電側はパワーオフになり、省電力化が実現される。
【０１３８】
図８（Ｂ）に示すように、送電側は、この満充電検出後の待機フェーズにおいて、再充電確認フラグを１にセットして、定期的に再充電確認用の仮送電を行う。これにより、送電側及び受電側は、認証処理を行い、その後、コマンド分岐フェーズに移行する。このように認証処理を行うことで、満充電検出後の待機モードにおいて、受電側がすり替わってしまう事態を検出できる。
【０１３９】
図８（Ｂ）において再充電確認フラグが１にセットされているため、コマンド分岐フェーズにおいて、再充電確認処理に移行する。そして図８（Ｃ）に示すように、送電側が再充電確認コマンドを受電側に送信する。すると、受電側は、バッテリ９４の充電電圧を確認し、確認結果（再充電が必要か否か、或いは充電電圧）を知らせるための応答コマンドを送電側に送信する。そして、送電側は、応答コマンドに基づいて、バッテリ９４の再充電が必要か否かを判断する。
【０１４０】
図９（Ａ）に示すように、送電側は、再充電が必要であると判断すると、再充電確認フラグを０にリセットして、バッテリ９４の再充電のための通常送電コマンドを送信し、受電側より通常送電応答コマンドが返送されてくるのを待って、通常送電を開始する。再充電確認フラグを０にリセットすることで、コマンド分岐フェーズにおいて再充電確認処理には移行しないようになる。
【０１４１】
送電側は、再充電が必要ではないと判断した場合には、再充電確認フラグを０にリセットせずに、図８（Ａ）の満充電検出後の待機モードに戻る。そして、再充電が必要であると判断されるまで、図８（Ａ）〜図８（Ｃ）の処理を繰り返す。
【０１４２】
なお図９（Ｂ）に示すように、送電側は、満充電検出後の待機モードにおいて受電側電子機器の取り去りが検出されると、図９（Ｃ）に示すように、再充電確認フラグを０にリセットし、取り去り検出後の待機フェーズに移行し、受電側電子機器が、再度、着地されるのを待つことになる。
【０１４３】
４．無接点電力伝送の処理シーケンス
さて、無接点電力伝送が普及すると、受電側の２次コイルとして様々なタイプのものが市場に出回ることが予想される。即ち、受電側である携帯電話機等の電気機器の外形・サイズは様々であるため、これに応じて、電子機器の受電装置に内蔵される２次コイルの外形・サイズも様々なものになる。また各電子機器が必要とする無接点電力伝送の電力量（ワット数）や出力電圧も様々であるため、これに応じて２次コイルのインダクタンス等も様々なものになる。
【０１４４】
一方、無接点電力伝送では１次コイルと２次コイルの形状・サイズ等が完全に適合していなくても、電力が伝送されてしまうという事態が起こる。この点、有線のケーブルを用いた充電では、ケーブルのコネクタの形状等を工夫することで、このような事態を防止できるが、無接点電力伝送ではこのような工夫を施すことが難しい。
【０１４５】
そして、現在、無接点電力伝送については、各メーカ毎に個別の方式で実現されているのが現状である。
【０１４６】
しかしながら、無接点電力伝送の普及を図り、それに伴う安全性を確保するためには、汎用性の高い無接点電力伝送の処理シーケンスを実現することが望ましい。
【０１４７】
図１０に、本実施形態により実現される無接点電力伝送の処理シーケンスの概略を模式的に示す。
【０１４８】
この処理シーケンスでは、リセット状態の後に、待機フェーズに移行する。ここで、リセット状態では、送電側（１次）や受電側（２次）が保持していた各種フラグはクリアされる。ここでフラグは、送電装置や受電装置の状態（送電状態、満充電状態、再充電確認状態等）を表すものであり、これらの装置のレジスタ部に保持される。
【０１４９】
待機フェーズでは、送電側（１次）は、受電側（２次）の停止時（送電停止時）の最終状態を保持する。例えばバッテリの満充電が検出されると、送電側及び受電側は満充電検出後の待機フェーズに移行する。この場合、バッテリ電圧の低下を検出して、再充電を行う必要があるため、送電側は、送電停止の要因が満充電検出であることを記憶する。具体的には、再充電確認フラグをクリアせずにセット状態に維持し、再充電が必要か否かを定期的に確認する。
【０１５０】
なお待機フェーズでは、送電側から受電側への送電が停止するため、受電側は電源電圧が供給されずに停止状態になるが、送電側は、電源電圧が供給されて動作状態になっている。このように待機フェーズで受電側が動作を停止することで低消費電力化が図れ、この時に送電側が各種状態のフラグをクリアせずに保持することで、送電側は、待機フェーズの後、そのフラグを利用して各種処理を実行できる。
【０１５１】
送電側や受電側は、待機フェーズの後にネゴシエーションフェーズに移行する。このネゴシエーションフェーズでは、規格／コイル／システムの一致確認や、安全上の情報交換などが行われるネゴシエーション処理が実行される。具体的には、送電側と受電側は、規格／コイル／システム情報の情報交換を行い、規格／コイル／システムがお互いに適合するか否かを確認する。また例えば受電側が送電側に、異物検出等のための安全しきい値情報を送信し、安全上の情報交換を行う。このネゴシエーション処理では、送電側と受電側の間で情報の通信が可能か否かの確認や、通信した情報が妥当か否かの確認や、受電側の負荷状態の適否（異物の非検出）の確認等が行われることになる。
【０１５２】
ネゴシエーション処理において、規格／コイル／システムが不一致であると判定されたり、異物が検出されたり、機器の取り去りが検出されたり、タイムアウトエラーになると、リセット状態に移行し、各種フラグがクリアされる。一方、通信エラー等の場合には例えば待機フェーズに移行し、フラグのクリアは行われない。
【０１５３】
送電側や受電側は、ネゴシエーションフェーズの後、セットアップフェーズに移行する。このセットアップフェーズでは、対応機能の情報やアプリケーション別の設定情報などのセットアップ情報が転送されるセットアップ処理が実行される。例えばネゴシエーション処理の結果に基づいて、認証処理が行われ、伝送条件が特定される。具体的には、受電側が、コイルの駆動電圧や駆動周波数等の伝送条件情報を送電側に送信すると、送電側は、受信した伝送条件情報に基づいてコイルの駆動電圧や駆動周波数等の通常送電のための伝送条件を設定する。また、対応機能についての情報交換や、上位のアプリケーション毎に異なる設定情報の交換も、このセットアップ処理で行われる。具体的には、通常送電開始後の受電側の負荷状態検出用のしきい値情報（例えばデータ通信用・異物検出用のしきい値情報）や、コマンドフェーズにおいて送電側、受電側が発行・実行可能なコマンドの種類や、通信機能、定期認証機能等の付加的な対応機能についての情報交換は、このセットアップ処理において実行される。これにより、電子機器の種類（携帯電話機、オーディオ機器等）や機種などのアプリケーションに応じて異なる設定情報の交換が可能になる。
【０１５４】
セットアップ処理において、機器の取り去りが検出されたり、タイムアウトエラーになると、リセット状態に移行する。一方、通信エラー等の場合には待機フェーズに移行する。
【０１５５】
送電側や受電側は、セットアップフェーズの後、コマンドフェーズに移行する。このコマンドフェーズでは、セットアップ処理で得た情報に基づいてコマンド処理が行われる。即ち、対応コマンド（対応可能であることがセットアップ処理で確認されたコマンド）の発行又は実行が行われる。コマンド処理で実行されるコマンドとしては、例えば、通常送電（充電）開始コマンド、満充電検出（通知）コマンド、再充電確認コマンド、通信コマンド、受電側割り込みコマンド、送電停止要求コマンドなどが考えられる。
【０１５６】
例えば、ネゴシエーション処理、セットアップ処理により通常送電の準備が整い、送電側が通常送電（充電）開始コマンドを受電側に送信（発行）し、それを受信した受電側が応答コマンドを送電側に送信すると、通常送電が開始する。そして通常送電の開始後、受電側において満充電が検出されると、受電側は満充電検出コマンドを送電側に送信する。
【０１５７】
この満充電検出のように伝送継続が必要ない場合には、満充電検出後の待機フェーズに移行する。そして、再度、ネゴシエーション処理、セットアップ処理を経て、送電側は再充電確認コマンドを受電側に送信する。これにより受電側は、バッテリ電圧をチェックして、再充電が必要か否かを判定する。そして再充電が必要な場合には、再充電確認フラグがリセットされ、ネゴシエーションフェーズに移行し、認証処理とセットアップ処理を行った上で、送電側が通常送電開始コマンドを発行することで、通常送電が再開される。一方、再充電が必要ではない場合には、再充電確認フラグがセット状態に維持されて、満充電検出後の待機フェーズに戻る。
【０１５８】
なおコマンド処理において、何らかの異常が検出されたり、異物が検出されたり、取り去りが検出されるとリセット状態に移行する。
【０１５９】
図１１を用いて本実施形態の処理シーケンスについて更に具体的に説明する。Ｆ１に示す取り去り検出後の待機フェーズでは、例えばｋ１秒に１回の着地検出が行われる。そしてＦ２に示すように電子機器の着地（設置）が検出されると、ネゴシエーション処理、セットアップ処理が実行される。そしてＦ３に示すようにネゴシエーション処理、セットアップ処理が正常に終了し、コマンド処理において通常送電開始コマンドが発行されると、通常送電が開始し、電子機器の充電が開始する。そしてＦ４に示すように満充電が検出されると、電子機器のＬＥＤが消灯し、Ｆ５に示すように満充電検出後の待機フェーズに移行する。
【０１６０】
満充電検出後の待機フェーズでは、例えばｋ３秒に１回の取り去り検出が行われると共にｋ３×ｊ秒に１回の再充電確認が行われる。そして満充電検出後の待機フェーズにおいて、Ｆ６に示すように電子機器の取り去りが検出されると、取り去り検出後の待機フェーズに移行する。一方、満充電検出後の待機フェーズにおいて、Ｆ７に示すように再充電確認により再充電が必要であると判定されると、ネゴシエーション処理、セットアップ処理が行われて、通常送電が再開され、バッテリの再充電が行われる。なお、Ｆ８に示すように通常送電中に電子機器の取り去りが検出されると、取り去り検出後の待機フェーズに移行する。
【０１６１】
なお、ネゴシエーションフェーズで転送されるシステム情報は、送電側や受電側での負荷状態の検出方式を示す情報である。ここで負荷状態の検出方式としては、パルス幅検出方式（位相検出方式）、電流検出方式、ピーク電圧検出方式、或いはこれらの方式を組み合わせた方式などがある。システム情報は、送電側や受電側が、これらの方式のいずれを採用しているのかを示す情報になる。
【０１６２】
異物しきい値は、安全上のしきい値情報である。この異物しきい値は、例えば受電側が記憶しており、通常送電開始前に受電側から送電側に送信される。そして送電側は、この異物しきい値に基づいて、通常送電開始前の異物検出である１次異物検出を行う。例えば受電側の負荷状態をパルス幅検出方式で検出する場合には、異物しきい値として、パルス幅のカウント値のしきい値が受電側から送電側に送信され、送電側はこのカウント値のしきい値に基づいて、パルス幅検出方式による１次異物検出を行う。このように本実施形態では、通常送電開始前の受電側の負荷状態を検出するためのしきい値情報は、ネゴシエーション処理において受電側が送電側に送信する。一方、通常送電開始後の受電側の負荷状態を検出するためのしきい値情報は、例えばセットアップ処理において受電側が送電側に送信する。
【０１６３】
以上の本実施形態の処理シーケンスによれば、例えば規格／コイル／システムの適合性の判断や、安全上の最低限の情報交換は、ネゴシエーション処理において行われる。そして、このネゴシエーション処理において、通信が可能な事や通信情報の妥当性が判断されると共に、受電側の負荷状態の適否が判断される。
【０１６４】
そしてセットアップ処理においては、通常送電のために必要な伝送条件の設定等が実行される。例えばコイルの駆動電圧や駆動周波数が設定される。また、通常送電開始後の負荷状態の検出用のしきい値情報の転送や、付加的な対応機能の情報交換や、より上位のアプリケーション毎に必要な設定情報の交換が、セットアップ処理において実行される。
【０１６５】
そして、このようなセットアップ処理、ネゴシエーション処理を経た後に、コマンドフェーズに移行して、コマンド処理が行われる。即ちネゴシエーション処理とセットアップ処理において対応可能になったことが確認されたコマンドの発行や実行がコマンド処理において行われる。
【０１６６】
このようにすれば、システムの適合性や安全性の確保に必要な最低限の情報交換はネゴシエーション処理において実行されると共に、アプリケーション毎に異なるセットアップ情報の交換はセットアップ処理において実行される。従って、送電側と受電側が適合していない場合には、ネゴシエーション処理において除外されるため、情報量が多いセットアップ情報については転送しなくても済むようになる。これにより、ネゴシエーション処理では最小限の情報だけを転送すれば済み、転送情報量を少なくできるため、短期間でネゴシエーションフェーズを終了でき、処理を効率化できる。
【０１６７】
また、送電側及び受電側の各機器は、ネゴシエーション処理により、最低限の無接点電力伝送が可能になり、機器毎の機能拡張は、セットアップ情報の交換で実現できる。従って、各機器は、ネゴシエーション処理で無接点電力伝送のシステムに必要な最小限の設定を行い、セットアップ処理でシステムの最適化が可能になるため、柔軟なシステム構築を実現できる。
【０１６８】
また送電側は、受電側からしきい値情報やシステム情報を受信し、受信したしきい値情報やシステム情報を設定するだけで、無接点電力伝送や異物検出を実現できるため、送電側の処理を簡素化できる。この場合に、受電側が、適正な組み合わせのコイル情報としきい値情報を送電側に送信することで、適正且つ安全な無接点電力伝送を実現できる。
【０１６９】
５．詳細な構成例
図１２に本実施形態の詳細な構成例を示す。なお以下では図２で説明した構成要素については同符号を付し、適宜、その説明については省略する。
【０１７０】
波形モニタ回路１４は、１次コイルＬ１のコイル端信号ＣＳＧに基づいて、波形モニタ用の誘起電圧信号ＰＨＩＮを生成する。例えば１次コイルＬ１の誘起電圧信号であるコイル端信号ＣＳＧは、送電制御装置２０のＩＣの最大定格電圧を超えてしまったり、負の電圧になったりする。波形モニタ回路１４は、このようなコイル端信号ＣＳＧを受け、送電制御装置２０の負荷状態検出回路３０により波形検出が可能な信号である波形モニタ用の誘起電圧信号ＰＨＩＮを生成して、送電制御装置２０の例えば波形モニタ用端子に出力する。表示部１６は、無接点電力伝送システムの各種状態（電力伝送中、ＩＤ認証等）を、色や画像などを用いて表示する。
【０１７１】
発振回路２４は１次側のクロックを生成する。駆動クロック生成回路２５は、駆動周波数を規定する駆動クロックを生成する。ドライバ制御回路２６は、駆動クロック生成回路２５からの駆動クロックや制御部２２からの周波数設定信号などに基づいて、所望の周波数の制御信号を生成し、送電部１２の第１、第２の送電ドライバに出力して、第１、第２の送電ドライバを制御する。
【０１７２】
負荷状態検出回路３０は、誘起電圧信号ＰＨＩＮを波形整形し、波形整形信号を生成する。例えば信号ＰＨＩＮが所与のしきい値電圧を超えた場合にアクティブ（例えばＨレベル）になる方形波（矩形波）の波形整形信号（パルス信号）を生成する。そして負荷状態検出回路３０は、波形整形信号と駆動クロックに基づいて、波形整形信号のパルス幅情報（パルス幅期間）を検出する。具体的には、波形整形信号と、駆動クロック生成回路２５からの駆動クロックを受け、波形整形信号のパルス幅情報を検出することで、誘起電圧信号ＰＨＩＮのパルス幅情報を検出する。
【０１７３】
なお負荷状態検出回路３０としては、パルス幅検出手法（位相検出手法）には限定されず、電流検出手法やピーク電圧検出手法などの種々の手法を採用できる。
【０１７４】
制御部２２（送電制御装置）は、負荷状態検出回路３０での検出結果に基づいて、受電側（２次側）の負荷状態（負荷変動、負荷の高低）を判断する。例えば制御部２２は、負荷状態検出回路３０（パルス幅検出回路）で検出されたパルス幅情報に基づいて、受電側の負荷状態を判断し、例えばデータ（負荷）検出、異物（金属）検出、取り去り（着脱）検出などを行う。即ち、誘起電圧信号のパルス幅情報であるパルス幅期間は、受電側の負荷状態の変化に応じて変化する。制御部２２は、このパルス幅期間（パルス幅期間の計測により得られたカウント値）に基づいて受電側の負荷変動を検知できる。
【０１７５】
受電部４２は、２次コイルＬ２の交流の誘起電圧を直流電圧に変換する。この変換は受電部４２が有する整流回路４３により行われる。
【０１７６】
負荷変調部４６は負荷変調処理を行う。具体的には受電装置４０から送電装置１０に所望のデータを送信する場合に、送信データに応じて負荷変調部４６（２次側）での負荷を可変に変化させて、１次コイルＬ１の誘起電圧の信号波形を変化させる。このために負荷変調部４６は、ノードＮＢ３、ＮＢ４の間に直列に設けられた抵抗ＲＢ３、トランジスタＴＢ３（Ｎ型のＣＭＯＳトランジスタ）を含む。このトランジスタＴＢ３は受電制御装置５０の制御部５２からの信号Ｐ３Ｑによりオン・オフ制御される。そしてトランジスタＴＢ３をオン・オフ制御して負荷変調を行う際には、給電制御部４８のトランジスタＴＢ２はオフにされ、負荷９０が受電装置４０に電気的に接続されない状態になる。
【０１７７】
給電制御部４８は負荷９０への電力の給電を制御する。レギュレータ４９は、整流回路４３での変換で得られた直流電圧ＶＤＣの電圧レベルを調整して、電源電圧ＶＤ５（例えば５Ｖ）を生成する。受電制御装置５０は、例えばこの電源電圧ＶＤ５が供給されて動作する。
【０１７８】
トランジスタＴＢ２（Ｐ型のＣＭＯＳトランジスタ、給電トランジスタ）は、受電制御装置５０の制御部５２からの信号Ｐ１Ｑにより制御される。具体的にはトランジスタＴＢ２は、ネゴシエーション処理やセットアップ処理の間はオフになり、通常送電開始後はオンになる。
【０１７９】
位置検出回路５６は、１次コイルＬ１と２次コイルＬ２の位置関係が適正であるかを判断する。発振回路５８は２次側のクロックを生成する。周波数検出回路６０は、信号ＣＣＭＰＩの周波数（ｆ１、ｆ２）を検出する。満充電検出回路６２は、負荷９０のバッテリ９４（２次電池）が、満充電状態（充電状態）になったか否かを検出する。
【０１８０】
負荷９０は、バッテリ９４の充電制御等を行う充電制御装置９２を含むことができる。この充電制御装置９２（充電制御ＩＣ）は集積回路装置などにより実現できる。なお、スマートバッテリのように、バッテリ９４自体に充電制御装置９２の機能を持たせてもよい。
【０１８１】
６．詳細な動作例
次に、送電側と受電側の動作の詳細について図１３〜図１５のフローチャートを用いて説明する。図１３は、左列が送電側処理フローであり、右列が受電側処理フローである。
【０１８２】
図１３に示すように、送電側は、電源投入されてパワーオンすると、例えばｋ１秒のウェイト後に（ステップＳ１）、通常送電開始前の仮送電を行う（ステップＳ２）。この仮送電は、着地検出、位置検出等のための一時的な電力伝送である。即ち、電子機器が充電器に対して置かれたか否か、置かれた場合には適正な位置に置かれたか否かを検出するための電力伝送を行う。この仮送電における駆動周波数（駆動クロック生成回路からの駆動クロックの周波数）は例えばｆ１に設定される。
【０１８３】
送電側からの仮送電により、受電側がパワーオンして（ステップＳ２２）、受電制御装置５０がパワーオンリセットされる。すると受電制御装置５０は、信号Ｐ１ＱをＨレベルに設定し、これにより給電制御部４８のトランジスタＴＢ２（給電トランジスタ）がオフになり（ステップＳ２３）、負荷９０との間の電気的な接続が遮断される。
【０１８４】
次に受電側は、位置検出回路５６を用いて、１次コイルＬ１と２次コイルＬ２の位置関係（位置レベル）を判断し、位置関係情報である位置レベル情報を取得する（ステップＳ２４）。
【０１８５】
そして受電側は、位置関係が適正であるかどうかに関わらず、ネゴシエーションフレームを生成して送電側に送信する（ステップＳ２５）。具体的には負荷変調によりネゴシエーションフレームを送信する。このネゴシエーションフレームは、例えば受電側のレジスタ部５３に記憶された規格情報、コイル情報などの一致コードやシステム情報（負荷状態検出方式）、しきい値情報（負荷状態検出用のしきい値）などのハード情報を含む。またネゴシエーションフレームには、ステップＳ２４で取得された位置レベル情報（位置関係情報）が付加される。
【０１８６】
送電側は、ネゴシエーションフレームを受信すると（ステップＳ４）、ネゴシエーションフレームの検証を行う（ステップＳ５）。具体的には、送電側のレジスタ部２３に記憶された規格／コイル／システム情報と、受電側から受信した規格／コイル／システム情報とが適応範囲の組み合わせであるか否かを判断する。またネゴシエーションフレームに付加された位置レベル情報に基づいて、１次コイルＬ１と２次コイルＬ２の位置関係も判断する。そして、適正なネゴシエーションフレームであると判定されると、異物検出を行う（ステップＳ６）。
【０１８７】
具体的には、送電側は、駆動周波数を異物検出用周波数ｆ３に設定する。そして受電側から受信したしきい値情報（安全しきい値情報）に基づいて、通常送電開始前の１次異物検出を行い、受電側の負荷状態が適正か否かを判断する。例えば異物検出イネーブル信号をアクティブにして、負荷状態検出回路３０に対して異物検出の開始を指示する。この異物検出は、例えば負荷状態検出回路３０からの負荷状態検出情報（パルス幅情報）と、受電側から受信した負荷状態検出用のしきい値（ＭＥＴＡ）とを比較することで実現される。そして送電側は、異物検出期間が終了すると、駆動周波数を周波数ｆ１に戻す。
【０１８８】
なお、送電側は、ステップＳ５でネゴシエーションフレームが適正ではないと判断されたり、ステップＳ６で異物が検出されたと判断されると、送電を停止して、ステップＳ１に戻る。
【０１８９】
次に、送電側はネゴシエーションフレームを作成して受電側に送信する（ステップＳ７）。このネゴシエーションフレームは、例えば送電側のレジスタ部２３に記憶された規格情報、コイル情報、システム情報を含む。
【０１９０】
受電側は、ネゴシエーションフレームを受信すると（ステップＳ２６）、ネゴシエーションフレームの検証を行う（ステップＳ２７）。具体的には、受電側のレジスタ部５３に記憶された規格／コイル／システム情報と、送電側から受信した規格／コイル／システム情報とが適応範囲の組み合わせであるか否かを判断する。また１次コイルＬ１と２次コイルＬ２の位置関係を、再度判断し、位置レベル情報を取得する。そして、適正なネゴシエーションフレームであると判定されると、セットアップフレームを生成して、送電側に送信する（ステップＳ２８）。このセットアップフレームは、通信条件情報や伝送条件情報や対応機能情報等と位置レベル情報を含む。ここで通信条件情報は通信方式や通信パラメータなどである。また伝送条件情報は、１次コイルの駆動電圧や駆動周波数などである。また対応機能情報は、アプリケーション毎に付加された機能を表す情報などである。なおセットアップフレームが適正でない場合にはステップＳ２１に戻る。
【０１９１】
送電側は、セットアップフレームを受信すると（ステップＳ８）、セットアップフレームの検証を行う（ステップＳ９）。そして受電側からのセットアップフレームが適正である場合には、送電側のセットアップフレームを作成して、受電側に送信する（ステップＳ１０）。一方、ネゴシエーションフレームが適正ではない場合には、送電を停止してステップＳ１に戻る。
【０１９２】
受電側は、セットアップフレームを受信すると（ステップＳ２９）、セットアップフレームの検証を行う（ステップＳ３０）。そしてセットアップフレームが適正である場合には、スタートフレームを作成して、送電側に送信する（ステップＳ３１）。一方、セットアップフレームが適正ではない場合にはステップＳ２１に戻る。
【０１９３】
スタートフレームが送信されると、送電側及び受電側はコマンド分岐に移行する。即ち、コマンド判定が行われて、各種フラグに応じたコマンドの処理に分岐する。
【０１９４】
図１４はコマンド分岐後の送電側の処理を示すフローチャートである。図１４に示すように、送電側は、ステップＳ４１のコマンド分岐において、優先的な処理が必要な他のコマンド（通信要求、割り込み、送電停止、再充電確認フラグ＝１など）が存在しない場合には、通常送電（充電）の開始コマンドを受電側に送信する（ステップＳ４２）。そして受電側から、通常送電開始コマンドの応答コマンドを受信すると、受信した応答コマンドに付加された位置レベル情報に基づいて、１次コイルＬ１と２次コイルＬ２の位置関係を確認する（ステップＳ４３）。そして伝送条件や通信条件を通常送電用の条件に切り替える（ステップＳ４４）。具体的には、セットアップ処理で設定された伝送条件や通信条件に切り替える。そして、定期認証をオンにして（ステップＳ４５）、通常送電を開始する（ステップＳ４６）。
【０１９５】
送電側は、通常送電が開始した後、定期的な負荷変調による定期認証期間において、大面積の金属異物等による乗っ取り状態の検出を行う（ステップＳ４７）。また取り去り検出、異物検出を行う（ステップＳ４８、Ｓ４９）。定期認証において乗っ取りが検出されたり、取り去りや異物が検出されると、送電を停止してステップＳ１に戻る。
【０１９６】
次に送電側は、受電側のホスト４からの送電停止コマンド（ＳＴＯＰコマンド）を受信したか否かを判断する（ステップＳ５０）。また受電側のホスト４からの割り込みコマンド（ＩＮＴコマンド）を受信したか否かを判断する（ステップＳ５１）。更に送電側のホスト２からのホスト通信要求（ＯＵＴ・ＩＮ転送コマンド）があったか否かを判断する（ステップＳ５２）。
【０１９７】
そして送電側は、これらのコマンドの受信や要求がなかった場合には、受電側から満充電検出コマンド（セーブフレーム）を受信したか否かを判断し（ステップＳ５３）、受信していない場合にはステップＳ４７に戻る。一方、受信した場合には、定期認証をオフにして、送電を停止する（ステップＳ５４、Ｓ５５）。そして満充電検出後の待機フェーズに移行する（ステップＳ５６）。
【０１９８】
この満充電検出後の待機フェーズでは、例えばｋ３秒に１回、取り去り検出を行う（ステップＳ５７）。そして、取り去りが検出されると再充電確認フラグを０にリセットし（ステップＳ６０）、送電を停止してステップＳ１に戻る。
【０１９９】
また満充電検出後の待機フェーズでは、例えばｋ３×ｊ秒に１回、再充電の確認を行い、再充電確認フラグを１にセットし（ステップＳ５８、Ｓ５９）、送電を停止してステップＳ１に戻る。
【０２００】
ステップＳ５９で再充電確認フラグが１にセットされた場合には、ステップＳ１に戻った後、ネゴシエーション処理、セットアップ処理が行われる。そして、ステップＳ４１のコマンド分岐において、再充電確認フラグが１であるため、再充電確認モードの処理に移行する。
【０２０１】
具体的には、送電側は、再充電確認コマンドを受電側に送信する（ステップＳ６１）。そして、再充電確認コマンドに対する応答コマンドを受電側から受信すると（ステップＳ６２）、その応答コマンドと共に受信したバッテリ電圧のチェック結果に基づいて、バッテリ９４の再充電が必要か否かを判断する（ステップＳ６３）。そして再充電が必要であると判断された場合には、再充電確認用の送電（仮送電）を停止して（ステップＳ６４）、再充電確認フラグを０に設定し、ステップＳ１に戻る。一方、再充電が必要でないと判断された場合には、再充電確認用の送電を停止して（ステップＳ６５）、再充電確認モードから満充電検出後の待機モード（ステップＳ５６〜Ｓ５８）に戻る。
【０２０２】
送電側は、ステップＳ５０、Ｓ５１で送電停止コマンドや割り込みコマンドを受信したと判断した場合やステップＳ５２でホスト２から通信要求があったと判断した場合には、無接点電力伝送の伝送条件や通信条件を、通常送電用から通信モード用の条件（仮送電時の条件）に切り替える（ステップＳ６６）。例えば駆動周波数や駆動電圧を切り替えたり、受電側の負荷状態の検出用のしきい値パラメータを切り替える。そしてステップＳ４１のコマンド分岐に移行する。
【０２０３】
例えばステップＳ５２において送電側のホスト２からの通信要求があったと判断された場合には、ステップＳ４１のコマンド分岐において、ホスト要求による通信モードの処理に分岐する。このホスト要求による通信モードでは、ホスト２が発行した通信要求コマンドであるＯＵＴ転送コマンド又はＩＮ転送コマンドを受電側に送信する（ステップＳ６７）。そして受電側からの応答を待ち、タイムアウトしたか否かを判断し（ステップＳ６８）、タイムアウトの場合にはステップＳ４１に戻る。一方、タイムアウトではない場合には、ホスト２、４間の取り決めに基づく任意の通信シーケンスを実行する（ステップＳ６９）。そして必要データ数になったか否かを判断し（ステップＳ７０）、必要データ数になった場合には、通常送電開始コマンド（充電開始コマンド）をコマンドレジスタ１１４にセットして（ステップＳ７１）、ステップＳ４１に戻る。これにより、通信モードから通常送電モード（充電モード）に戻ることが可能になる。
【０２０４】
またステップＳ５１において受電側からの割り込みコマンド（ＩＮＴコマンド）を受信したと判断された場合には、ステップＳ４１のコマンド分岐において、受電側の割り込みコマンドによる通信モードの処理に分岐する。この受電側からの割り込みコマンドによる通信モードでは、まず現状況で通信可能か否かを判断し（ステップＳ７２）、通信可能ではない場合にはステップＳ７１に移行する。一方、通信可能である場合には、ＡＣＫコマンドをコマンドレジスタ１１４にセットして、受電側に送信する（ステップＳ７３、Ｓ７４）。そしてステップＳ６８〜Ｓ７０の通信モードの処理に移行する。
【０２０５】
またステップＳ５０において受電側から送電停止コマンド（ＳＴＯＰコマンド）を受信したと判断された場合には、ステップＳ４１のコマンド分岐において、送電停止コマンドの処理に分岐する。そして受電側への送電を停止し（ステップＳ７６）、例えばｋ４秒毎に取り去り検知を行う（ステップＳ７７、Ｓ７８）。そして取り去りが検知された場合にはステップＳ６０に移行し、ステップＳ１に戻る。なお、連続充電時間を計時するためのＬ時間タイマのタイムアウトがあった場合（ステップＳ７５）にも、ステップＳ７６に移行し送電を停止する。
【０２０６】
以上のように本実施形態では、送電側は、通信モードへの移行イベントが発生すると、通信モード用条件への切り替えを行い、コマンド分岐に移行する（ステップＳ５１、Ｓ５２、Ｓ６６、Ｓ４１）。そして通信モード用のコマンド処理を行い、通信モード終了後にコマンド分岐に戻る（ステップＳ６７〜Ｓ７１）。一方、取り去りや異物や満充電が検出されると、送電を停止する（ステップＳ４８、Ｓ４９、Ｓ５３）。そして、仮送電の後に、ネゴシエーション処理やセットアップ処理などの認証処理を行い（ステップＳ１〜Ｓ１０）、コマンド分岐に移行する。また満充電が検出されると、満充電検出後の待機フェーズに移行する（ステップＳ５６〜Ｓ５８）。そしてこの満充電検出後の待機フェーズにおいて、定期的に再充電確認処理を行う（ステップＳ５９〜Ｓ６５）。
【０２０７】
図１５はコマンド分岐後の受電側の処理を示すフローチャートである。図１５に示すように、受電側は、ステップＳ８１のコマンド分岐において、優先的な処理が必要な他のコマンド（通信要求、割り込み、送電停止等）が存在せず、送電側から通常送電開始コマンドを受信すると（ステップＳ８２）、１次コイルＬ１と２次コイルＬ２の位置関係を再度判断し、位置関係情報である位置レベル情報を取得する（ステップＳ８３）。そして、位置レベル情報が付加された応答コマンドを送電側に送信する（ステップＳ８４）。
【０２０８】
受電側は、応答コマンドを送信した後、給電制御部４８のトランジスタＴＢ２をオンにして（ステップＳ８５）、負荷９０への電力供給を開始する。また定期認証をオンにして、定期的な負荷変調を行う（ステップＳ８６）。具体的には、負荷変調部４６のトランジスタＴＢ３を、定期認証期間において所定のパターンでオン・オフする。
【０２０９】
次に受電側は、受電側のホスト４からの送電停止要求（ＳＴＯＰコマンド）があったか否かを判断する（ステップＳ８７）。また受電側のホスト４からの割り込み要求（ＩＮＴコマンド）があったか否かを判断する（ステップＳ８８）。更に送電側のホスト２からの通信要求コマンド（ＯＵＴ・ＩＮ転送コマンド）を受信したか否かを判断する（ステップＳ８９）。
【０２１０】
そして受電側は、これらの要求やコマンドの受信がなかった場合には、バッテリ９４が満充電になったか否かを検出する（ステップＳ９０）。そして満充電が検出されなかった場合にはステップＳ８７に戻る。一方、満充電が検出されると、トランジスタＴＢ２をオフにして（ステップＳ９１）、負荷９０への電力供給を停止する。また定期認証をオフにする（ステップＳ９２）。そして、満充電の検出を通知する満充電検出コマンド（セーブフレーム）を送電側に送信し（ステップＳ９３）、ｋ５秒のウェイト期間の後（ステップＳ９４）、ステップＳ９３に戻り、処理を繰り返す。
【０２１１】
受電側は、送電側が再充電確認用の送電（仮送電）を開始すると、パワーオンリセットされ、ネゴシエーション処理、セットアップ処理を行う。そして送電側が送信した再充電確認コマンド（ステップＳ６１参照）を受信すると、ステップＳ８１のコマンド分岐において、再充電確認モードの処理に移行する。
【０２１２】
具体的には、受電側は、バッテリ電圧をチェックして（ステップＳ９５）、再充電確認コマンドに対する応答コマンドとバッテリ電圧のチェック結果を送電側に送信する（ステップＳ９６）。そして再充電確認用の送電が停止するとパワーオフされる。
【０２１３】
また受電側は、ステップＳ８７、Ｓ８８でホスト４からの送電停止要求や割り込み要求があったと判断した場合やステップＳ８９で通信要求のコマンドを受信したと判断した場合には、給電用のトランジスタＴＢ２をオフにすると共に定期認証もオフにする（ステップＳ９７）。そして伝送条件や通信条件を通信モード用の条件に切り替え（ステップＳ９８）、ステップＳ８１のコマンド分岐に移行する。
【０２１４】
例えばステップＳ８９において、送電側から通信要求コマンド（ＯＵＴ・ＩＮ転送コマンド）を受信したと判断された場合には、ステップＳ８１のコマンド分岐において、送電側からの通信要求による通信モードの処理に分岐する。そしてホスト２、４間の取り決めに基づく任意の通信シーケンスを実行する（ステップＳ１０２）。そして必要データ数になったか否かを判断し（ステップＳ１０３）、必要データ数になった場合には、送電側が送信した通常送電開始コマンド（ステップＳ７１参照）を受信したか否かを判断する（ステップＳ１０４）。そして受信した場合にはステップＳ８３に移行し、通信モードから通常送電モード（充電モード）に戻る。
【０２１５】
またステップＳ８８において、受電側のホスト４からの割り込み要求があったと判断された場合には、ステップＳ８１のコマンド分岐において、受電側の割り込み要求による通信モードの処理に分岐する。この受電側の割り込み要求による通信モードでは、通信要求コマンド（ＩＮＴコマンド）を送電側に送信する（ステップＳ９９）。そして送電側から通常送電開始コマンドを受信したか否かを判断し（ステップＳ１００）、受信していない場合にはＡＣＫコマンド（ステップＳ７４参照）を受信したか否かを判断する（ステップＳ１０１）。そして受信した場合には、ステップＳ１０２、Ｓ１０３の通信モードの処理に移行する。
【０２１６】
またステップＳ８７において受電側のホスト４からの送電停止要求があったと判断された場合には、ステップＳ８１のコマンド分岐において、送電停止要求による処理に分岐する。そして送電停止コマンドを送電側に送信し（ステップＳ１０５）、送電が停止するとパワーオフされる。
【０２１７】
以上のように本実施形態では、受電側は、通信モードへの移行イベントが発生すると、通信モード用条件への切り替えを行い、コマンド分岐に移行する（ステップＳ８８、Ｓ８９、Ｓ９７、Ｓ９８、Ｓ８１）。そして通信モード用のコマンド処理を行い、通信モード終了後にコマンド分岐に戻る（ステップＳ９９〜Ｓ１０４）。また受電側は、送電側が満充電検出後の待機フェーズに移行し、定期的な仮送電が行われると、この仮送電期間において、再充電確認処理を行う（ステップＳ９５、Ｓ９６）。
【０２１８】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。また送電制御装置、送電装置、受電制御装置、受電装置の構成・動作や、通信モードへの移行処理、通信モードのコマンド処理、満充電検出後の処理、通信処理、ホストインターフェース処理等も、本実施形態で説明したものに限定されず、種々の変形実施が可能である。
【符号の説明】
【０２１９】
Ｌ１  １次コイル、Ｌ２  ２次コイル、２  ホスト（送電側）、４  ホスト（受電側）、
１０  送電装置、１２  送電部、１４  波形モニタ回路、１６  表示部、
２０  送電制御装置、２２  制御部（送電側）、２３  レジスタ部、２４  発振回路、
２５  駆動クロック生成回路、２６  ドライバ制御回路、２７  ホストＩ／Ｆ、
３０  負荷状態検出回路、３７  ネゴシエーション処理部、３８  セットアップ処理部、
４０  受電装置、４２  受電部、４３  整流回路、４６  負荷変調部、
４８  給電制御部、５０  受電制御装置、５２  制御部（受電側）、５３  レジスタ部、
５６  位置検出回路、５７  ホストＩ／Ｆ、５８  発振回路、５９  検出回路、
６０  周波数検出回路、６２  満充電検出回路、６７  ネゴシエーション処理部、
６８  セットアップ処理部、９０  負荷、９２  充電制御装置、９４  バッテリ、
１００  認証処理部、１０１  コマンド処理部、１０２  送電制御部、
１０４  通信処理部、１０６  検知判定部、１０８  定期認証判定部、
１０９  再充電確認処理部、１１０  情報レジスタ、１１２  ステータスレジスタ、
１１４  コマンドレジスタ、１１６  割り込みレジスタ、１１８  データレジスタ、
１２０  認証処理部、１２１  コマンド処理部、１２２  受電制御部、
１２４  通信処理部、１２６  検知判定部、１２８  定期認証制御部、
１２９  再充電確認処理部、１３０  情報レジスタ、１３２  ステータスレジスタ、
１３４  コマンドレジスタ、１３６  割り込みレジスタ、１３８  データレジスタ
【図１】
2010045960.tif 000003
【図２】
2010045960.tif 000004
【図３】
2010045960.tif 000005
【図４】
2010045960.tif 000006
【図５】
2010045960.tif 000007
【図６】
2010045960.tif 000008
【図７】
2010045960.tif 000009
【図８】
2010045960.tif 000010
【図９】
2010045960.tif 000011
【図１０】
2010045960.tif 000012
【図１１】
2010045960.tif 000013
【図１２】
2010045960.tif 000014
【図１３】
2010045960.tif 000015
【図１４】
2010045960.tif 000016
【図１５】
2010045960.tif 000017